(57)【要約】  本発明は、データを伝送する方法、端末機器及びネットワーク機器を提供し、前記方法は、端末機器が特定のパラメータＭ及び使用される伝送帯域幅に基づき、前記伝送帯域幅でのリソースブロックグループＲＢＧサイズを決定するステップと、ネットワーク機器により送信されたダウンリンク制御情報で運搬されるビットマップを受信し、前記ビットマップにはＭ個のビットが含まれるステップと、前記Ｍ個のビットのうちのＮ個のビットにおける値に基づき、前記伝送帯域幅内のＮ個のＲＢＧの中でデータ伝送に使用されるターゲットＲＢＧを決定するステップと、前記ターゲットＲＢＧで前記ネットワーク機器との間で前記データを伝送するステップと、を含み、ここで、Ｍは正の整数であり、Ｎは前記伝送帯域幅及び前記ＲＢＧサイズにより決定され、ＮはＭ以下の正の整数である。したがって、異なる伝送帯域幅を使用するときに同じサイズのビットマップを使用してＲＢＧの指示を行うため、端末機器のブラインド検出の複雑さを低減することができる。
2020528681.tif 000002
【特許請求の範囲】
【請求項１】
端末機器が特定のパラメータＭ及び前記端末機器により使用される伝送帯域幅に基づき、前記伝送帯域幅でのリソースブロックグループＲＢＧサイズを決定するステップと、
前記端末機器がネットワーク機器により送信されたダウンリンク制御情報で運搬されるビットマップを受信し、前記ビットマップにはＭ個のビットが含まれるステップと、
前記端末機器が前記Ｍ個のビットのうちのＮ個のビットにおける値に基づき、前記伝送帯域幅内のＮ個のＲＢＧの中でデータ伝送に使用されるターゲットＲＢＧを決定するステップと、
前記端末機器が前記ターゲットＲＢＧで前記ネットワーク機器との間で前記データを伝送するステップと、を含み、
ここで、Ｍは正の整数であり、Ｎは前記伝送帯域幅及び前記ＲＢＧサイズにより決定され、ＮはＭ以下の正の整数である
ことを特徴とするデータを伝送する方法。
【請求項２】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項１に記載の方法。
【請求項３】
Ｎは
2020528681.tif 000075
に等しく、ここで、
2020528681.tif 000076
は切り上げである
ことを特徴とする請求項１又は２に記載の方法。
【請求項４】
前記端末機器がＭ及び前記端末機器により使用される伝送帯域幅に基づき、前記伝送帯域幅でのＲＢＧサイズを決定する前に、
前記端末機器が使用される基本パラメータセットに基づき、前記基本パラメータセットに対応するＭを決定するステップをさらに含み、
ここで、異なる基本パラメータセットは異なるＭに対応する
ことを特徴とする請求項１〜３のいずれか１項に記載の方法。
【請求項５】
前記端末機器がＭ及び前記端末機器により使用される伝送帯域幅に基づき、前記伝送帯域幅でのＲＢＧサイズを決定する前に、
前記端末機器が前記ネットワーク機器により送信されたＭを指示するための第１の指示情報を受信するステップをさらに含み、
前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む
ことを特徴とする請求項１〜３のいずれか１項に記載の方法。
【請求項６】
前記端末機器がＭ及び前記端末機器により使用される伝送帯域幅に基づき、前記伝送帯域幅でのＲＢＧサイズを決定する前に、
前記端末機器が前記伝送帯域幅を決定するステップをさらに含み、
ここで、前記端末機器が異なる伝送時間周期内で使用する伝送帯域幅は異なる
ことを特徴とする請求項１〜５のいずれか１項に記載の方法。
【請求項７】
前記端末機器が前記伝送帯域幅を決定するステップは、
前記端末機器が前記ネットワーク機器により送信された前記伝送帯域幅を指示するための第２の指示情報を受信するステップを含み、
前記第２の指示情報は、ＤＣＩ、ＲＲＣシグナリング、システム情報ＳＩ又はＭＡＣ  ＣＥを含む
ことを特徴とする請求項６に記載の方法。
【請求項８】
ネットワーク機器が特定のパラメータＭ及び端末機器とのデータ伝送に使用される伝送帯域幅に基づき、前記伝送帯域幅でのリソースブロックグループＲＢＧサイズを決定するステップと、
前記ネットワーク機器が前記伝送帯域幅内のＮ個のＲＢＧの中で、データ伝送に使用されるターゲットＲＢＧを決定するステップと、
前記ネットワーク機器が前記ターゲットＲＢＧに基づいてビットマップを生成し、前記ビットマップにはＭ個のビットが含まれ、前記Ｍ個のビットのうちのＮ個のビットにおける値は前記ターゲットＲＢＧを指示するために使用されるステップと、
前記ネットワーク機器が前記端末機器にダウンリンク制御情報で運搬される前記ビットマップを送信するステップと、
前記ネットワーク機器が前記ターゲットＲＢＧで前記端末機器との間で前記データを伝送するステップと、を含み、
ここで、Ｍは正の整数であり、Ｎは前記伝送帯域幅及び前記ＲＢＧサイズにより決定され、ＮはＭ以下の正の整数である
ことを特徴とするデータを伝送する方法。
【請求項９】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項８に記載の方法。
【請求項１０】
Ｎは
2020528681.tif 000077
に等しく、ここで、
2020528681.tif 000078
は切り上げである
ことを特徴とする請求項８又は９に記載の方法。
【請求項１１】
前記ネットワーク機器がＭ及び端末機器とのデータ伝送に使用される伝送帯域幅に基づき、前記伝送帯域幅でのＲＢＧサイズを決定する前に、
前記ネットワーク機器が使用される基本パラメータセットに基づき、前記基本パラメータセットに対応するＭを決定するステップをさらに含み、
ここで、異なる基本パラメータセットは異なるＭに対応する
ことを特徴とする請求項８〜１０のいずれか１項に記載の方法。
【請求項１２】
前記ネットワーク機器が前記端末機器にＭを指示するための第１の指示情報を送信するステップをさらに含み、
前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む
ことを特徴とする請求項８〜１１のいずれか１項に記載の方法。
【請求項１３】
前記ネットワーク機器がＭ及び端末機器とのデータ伝送に使用される伝送帯域幅に基づき、前記伝送帯域幅でのＲＢＧサイズを決定する前に、
前記ネットワーク機器が前記伝送帯域幅を決定するステップをさらに含み、
ここで、前記ネットワーク機器が異なる伝送時間周期内で前記端末機器とデータ伝送を行うときに使用する伝送帯域幅は異なる
ことを特徴とする請求項８〜１２のいずれか１項に記載の方法。
【請求項１４】
前記ネットワーク機器が前記端末機器に前記伝送帯域幅を指示するための第２の指示情報を送信するステップをさらに含み、
前記第２の指示情報は、ＤＣＩ、ＲＲＣシグナリング、システム情報ＳＩ又はＭＡＣ  ＣＥを含む
ことを特徴とする請求項１３に記載の方法。
【請求項１５】
決定ユニット及び伝送ユニットを備え、ここで、
前記決定ユニットは、特定のパラメータＭ及び前記端末機器により使用される伝送帯域幅に基づき、前記伝送帯域幅でのリソースブロックグループＲＢＧサイズを決定するために使用され、ここで、Ｍは正の整数であり、
前記伝送ユニットは、ネットワーク機器により送信されたダウンリンク制御情報で運搬されるビットマップを受信するために使用され、前記ビットマップにはＭ個のビットが含まれ、
前記決定ユニットはまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数であり、
前記伝送ユニットはまた、前記ターゲットＲＢＧで前記ネットワーク機器との間で前記データを伝送するために使用される
ことを特徴とする端末機器。
【請求項１６】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項１５に記載の端末機器。
【請求項１７】
Ｎは
2020528681.tif 000079
に等しく、ここで、
2020528681.tif 000080
は切り上げである
ことを特徴とする請求項１５又は１６に記載の端末機器。
【請求項１８】
前記決定ユニットはまた、
使用される基本パラメータセットに基づき、前記基本パラメータセットに対応するＭを決定するために使用され、
ここで、異なる基本パラメータセットは異なるＭに対応する
ことを特徴とする請求項１５〜１７のいずれか１項に記載の端末機器。
【請求項１９】
前記伝送ユニットはまた、
前記ネットワーク機器により送信されたＭを指示するための第１の指示情報を受信するために使用され、
ここで、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む
ことを特徴とする請求項１５〜１８のいずれか１項に記載の端末機器。
【請求項２０】
前記決定ユニットはまた、
前記伝送帯域幅を決定するために使用され、
ここで、前記端末機器が異なる伝送時間周期内で使用する伝送帯域幅は異なる
ことを特徴とする請求項１５〜１９のいずれか１項に記載の端末機器。
【請求項２１】
前記決定ユニットは具体的に、
前記伝送ユニットを介して、前記ネットワーク機器により送信された前記伝送帯域幅を指示するための第２の指示情報を受信するために使用され、
ここで、前記第２の指示情報は、ＤＣＩ、ＲＲＣシグナリング、システム情報ＳＩ又はＭＡＣ  ＣＥを含む
ことを特徴とする請求項２０に記載の端末機器。
【請求項２２】
決定ユニット、処理ユニット及び伝送ユニットを備え、ここで、
前記決定ユニットは、特定のパラメータＭ及び端末機器とのデータ伝送に使用される伝送帯域幅に基づき、前記伝送帯域幅でのリソースブロックグループＲＢＧサイズを決定するために使用され、ここで、Ｍは正の整数であり、
前記決定ユニットはまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、ＮはＭ以下の正の整数であり、
前記処理ユニットは、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用され、
前記伝送ユニットは、前記端末機器にダウンリンク制御情報で運搬される前記ビットマップを送信するために使用され、
前記伝送ユニットはまた、前記ターゲットＲＢＧで前記端末機器との間で前記データを伝送するために使用される
ことを特徴とするネットワーク機器。
【請求項２３】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項２２に記載のネットワーク機器。
【請求項２４】
Ｎは
2020528681.tif 000081
に等しく、ここで、
2020528681.tif 000082
は切り上げである
ことを特徴とする請求項２２又は２３に記載のネットワーク機器。
【請求項２５】
前記決定ユニットはまた、
使用される基本パラメータセットに基づき、前記基本パラメータセットに対応するＭを決定するために使用され、
ここで、異なる基本パラメータセットは異なるＭに対応する
ことを特徴とする請求項２２〜２４のいずれか１項に記載のネットワーク機器。
【請求項２６】
前記伝送ユニットはまた、
前記端末機器にＭを指示するための第１の指示情報を送信するために使用され、
ここで、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む
ことを特徴とする請求項２２〜２５のいずれか１項に記載のネットワーク機器。
【請求項２７】
前記決定ユニットはまた、
前記伝送帯域幅を決定するために使用され、
ここで、前記ネットワーク機器が異なる伝送時間周期内で前記端末機器とデータ伝送を行うときに使用する伝送帯域幅は異なる
ことを特徴とする請求項２２〜２６のいずれか１項に記載のネットワーク機器。
【請求項２８】
前記伝送ユニットはまた、
前記端末機器に前記伝送帯域幅を指示するための第２の指示情報を送信するために使用され、
ここで、前記第２の指示情報は、ＤＣＩ、ＲＲＣシグナリング、システム情報ＳＩ又はＭＡＣ  ＣＥを含む
ことを特徴とする請求項２７に記載のネットワーク機器。
【発明の詳細な説明】
【技術分野】
【０００１】
本発明は、無線通信分野に関し、より具体的に、データを伝送する方法、端末機器及びネットワーク機器に関する。
【背景技術】
【０００２】
ロングタームエボリューション（Ｌｏｎｇ  Ｔｅｒｍ  Ｅｖｏｌｕｔｉｏｎ，ＬＴＥ）システムでは、データ伝送によって占有される周波数領域リソースは、リソースブロックグループ（Ｒｅｓｏｕｒｃｅ  Ｂｌｏｃｋ  Ｇｒｏｕｐ，ＲＢＧ）の単位で割り当てられ、各ＲＢＧには１組の連続したリソースブロック（Ｒｅｓｏｕｒｃｅ  Ｂｌｏｃｋ，ＲＢ）が含まれ、ＲＢＧサイズ（ＲＢＧ  Ｓｉｚｅ）はシステム帯域幅に関連し、異なるシステム帯域幅でのＲＢＧサイズは異なり、したがって、異なるシステム帯域幅でのＲＢＧの数も異なる。ネットワーク機器は、端末機器により使用されるＲＢＧをダウンリンク制御情報（Ｄｏｗｎｌｏａｄ  Ｃｏｎｔｒｏｌ  Ｉｎｆｏｒｍａｔｉｏｎ，ＤＣＩ）で運搬されるビットマップ（ｂｉｔｍａｐ）を介して端末機器に指示することができる。
【０００３】
５Ｇシステム又は新無線（Ｎｅｗ  Ｒａｄｉｏ）システムでは、端末機器の使用帯域幅又は伝送帯域幅（ｂａｎｄｗｉｄｔｈ  ｐａｒｔ）はシステム帯域幅より小さくてもよく、端末機器は、異なる期間内で異なる伝送帯域幅を使用してデータ伝送を行うことができ、伝送帯域幅の変化に伴い、ネットワーク機器は、ＲＢＧの指示を行うための異なるサイズのビットマップを必要とし、このため、端末機器によるブラインド検出の回数が増加され、端末機器のブラインド検出の複雑さが高くなる。
【発明の概要】
【発明が解決しようとする課題】
【０００４】
本発明の実施例は、機器のブラインド検出の複雑さを低減できるデータを伝送する方法、端末機器及びネットワーク機器を提供する。
【課題を解決するための手段】
【０００５】
第１の態様によれば、端末機器が特定のパラメータＭ及び前記端末機器により使用される伝送帯域幅に基づき、前記伝送帯域幅でのリソースブロックグループＲＢＧサイズを決定するステップと、前記端末機器がネットワーク機器により送信されたダウンリンク制御情報で運搬されるビットマップを受信し、前記ビットマップにはＭ個のビットが含まれるステップと、前記端末機器が前記Ｍ個のビットのうちのＮ個のビットにおける値に基づき、前記伝送帯域幅内のＮ個のＲＢＧの中でデータ伝送に使用されるターゲットＲＢＧを決定するステップと、前記端末機器が前記ターゲットＲＢＧで前記ネットワーク機器との間で前記データを伝送するステップと、を含み、ここで、Ｍは正の整数であり、Ｎは前記伝送帯域幅及び前記ＲＢＧサイズにより決定され、ＮはＭ以下の正の整数であるデータを伝送する方法を提供する。
【０００６】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧサイズを柔軟且つ効率的に決定することができ、ブラインド検出の複雑さが低減される。
【０００７】
一可能な実現形態では、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０００８】
一可能な実現形態では、Ｎは
2020528681.tif 000003
に等しく、ここで、
2020528681.tif 000004
は切り上げである。
【０００９】
一可能な実現形態では、前記端末機器がＭ及び前記端末機器により使用される伝送帯域幅に基づき、前記伝送帯域幅でのＲＢＧサイズを決定する前に、前記方法は、前記端末機器が使用される基本パラメータセットに基づき、前記基本パラメータセットに対応するＭを決定するステップをさらに含み、ここで、異なる基本パラメータセットは異なるＭに対応する。
【００１０】
一可能な実現形態では、前記端末機器がＭ及び前記端末機器により使用される伝送帯域幅に基づき、前記伝送帯域幅でのＲＢＧサイズを決定する前に、前記方法は、前記端末機器が前記ネットワーク機器により送信されたＭを指示するための第１の指示情報を受信するステップをさらに含み、ここで、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【００１１】
一可能な実現形態では、前記端末機器がＭ及び前記端末機器により使用される伝送帯域幅に基づき、前記伝送帯域幅でのＲＢＧサイズを決定する前に、前記方法は、前記端末機器が前記伝送帯域幅を決定するステップをさらに含み、ここで、前記端末機器が異なる伝送時間周期内で使用する伝送帯域幅は異なる。
【００１２】
一可能な実現形態では、前記端末機器が前記伝送帯域幅を決定するステップは、前記端末機器が前記ネットワーク機器により送信された前記伝送帯域幅を指示するための第２の指示情報を受信するステップを含み、前記第２の指示情報は、ＤＣＩ、ＲＲＣシグナリング、システム情報ＳＩ又はＭＡＣ  ＣＥを含む。
【００１３】
第２の態様によれば、ネットワーク機器が特定のパラメータＭ及び端末機器とのデータ伝送に使用される伝送帯域幅に基づき、前記伝送帯域幅でのリソースブロックグループＲＢＧサイズを決定するステップと、前記ネットワーク機器が前記伝送帯域幅内のＮ個のＲＢＧの中で、データ伝送に使用されるターゲットＲＢＧを決定するステップと、前記ネットワーク機器が前記ターゲットＲＢＧに基づいてビットマップを生成し、前記ビットマップにはＭ個のビットが含まれ、前記Ｍ個のビットのうちのＮ個のビットにおける値は前記ターゲットＲＢＧを指示するために使用されるステップと、前記ネットワーク機器が前記端末機器にダウンリンク制御情報で運搬される前記ビットマップを送信するステップと、前記ネットワーク機器が前記ターゲットＲＢＧで前記端末機器との間で前記データを伝送するステップと、を含み、ここで、Ｍは正の整数であり、Ｎは前記伝送帯域幅及び前記ＲＢＧサイズにより決定され、ＮはＭ以下の正の整数であるデータを伝送する方法を提供する。
【００１４】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧサイズを柔軟且つ効率的に決定することができ、ブラインド検出の複雑さが低減される。
【００１５】
一可能な実現形態では、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【００１６】
一可能な実現形態では、Ｎは
2020528681.tif 000005
に等しく、ここで、
2020528681.tif 000006
は切り上げである。
【００１７】
一可能な実現形態では、前記ネットワーク機器がＭ及び端末機器とのデータ伝送に使用される伝送帯域幅に基づき、前記伝送帯域幅でのＲＢＧサイズを決定する前に、前記方法は、前記ネットワーク機器が使用される基本パラメータセットに基づき、前記基本パラメータセットに対応するＭを決定するステップをさらに含み、ここで、異なる基本パラメータセットは異なるＭに対応する。
【００１８】
一可能な実現形態では、前記方法は、前記ネットワーク機器が前記端末機器にＭを指示するための第１の指示情報を送信するステップをさらに含み、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【００１９】
一可能な実現形態では、前記ネットワーク機器がＭ及び端末機器とのデータ伝送に使用される伝送帯域幅に基づき、前記伝送帯域幅でのＲＢＧサイズを決定する前に、前記方法は、前記ネットワーク機器が前記伝送帯域幅を決定するステップをさらに含み、ここで、前記ネットワーク機器が異なる伝送時間周期内で前記端末機器とデータ伝送を行うときに使用する伝送帯域幅は異なる。
【００２０】
一可能な実現形態では、前記方法は、前記ネットワーク機器が前記端末機器に前記伝送帯域幅を指示するための第２の指示情報を送信するステップをさらに含み、前記第２の指示情報は、ＤＣＩ、ＲＲＣシグナリング、システム情報ＳＩ又はＭＡＣ  ＣＥを含む。
【００２１】
第３の態様によれば、上記の第１の態様又は第１の態様の任意の選択可能な実現形態における端末機器の動作を実行できる端末機器を提供する。具体的に、この端末機器は、上記の第１の態様又は第１の態様の任意の可能な実現形態における端末機器の動作を実行するためのモジュールユニットを備えてもよい。
【００２２】
第４の態様によれば、上記の第２の態様又は第２の態様の任意の選択可能な実現形態におけるネットワーク機器の動作を実行できるネットワーク機器を提供する。具体的に、このネットワーク機器は、上記の第２の態様又は第２の態様の任意の可能な実現形態におけるネットワーク機器の動作を実行するためのモジュールユニットを備えてもよい。
【００２３】
第５の態様によれば、プロセッサー、送受信機及びメモリを備える端末機器を提供する。ここで、このプロセッサー、送受信機及びメモリの間は、内部接続通路を介して互いに通信する。このメモリは、命令を格納するために使用され、このプロセッサーは、このメモリに格納された命令を実行するために使用される。このプロセッサーがこのメモリに格納された命令を実行するとき、この実行により、この端末機器が第１の態様又は第１の態様の任意の可能な実現形態における方法を実行し、又はこの実行により、この端末機器が第３の態様に提供される端末機器を実現する。
【００２４】
第６の態様によれば、プロセッサー、送受信機及びメモリを備えるネットワーク機器を提供する。ここで、このプロセッサー、送受信機及びメモリの間は、内部接続通路を介して互いに通信する。このメモリは、命令を格納するために使用され、このプロセッサーは、このメモリに格納された命令を実行するために使用される。このプロセッサーがこのメモリに格納された命令を実行するとき、この実行により、このネットワーク機器が第２の態様又は第２の態様の任意の可能な実現形態における方法を実行し、又はこの実行により、このネットワーク機器が第４の態様に提供されるネットワーク機器を実現する。
【００２５】
第７の態様によれば、端末機器に上記の第１の態様及びその様々な実現形態におけるいずれかの情報を伝送する方法を実行させるプログラムが格納されたコンピュータ読み取り可能な記録媒体を提供する。
【００２６】
第８の態様によれば、ネットワーク機器に上記の第２の態様及びその様々な実現形態におけるいずれかの情報を伝送する方法を実行させるプログラムが格納されたコンピュータ読み取り可能な記録媒体を提供する。
【００２７】
第９の態様によれば、システムチップを提供し、このシステムチップは、入力インターフェース、出力インターフェース、プロセッサー及びメモリを備え、このプロセッサーは、このメモリに格納された命令を実行するために使用され、この命令が実行されると、このプロセッサーは、前述の第１の態様及びその様々な実現形態におけるいずれかの方法を実現することができる。
【００２８】
第１０の態様によれば、システムチップを提供し、このシステムチップは、入力インターフェース、出力インターフェース、プロセッサー及びメモリを備え、このプロセッサーは、このメモリに格納された命令を実行するために使用され、この命令が実行されると、このプロセッサーは、前述の第２の態様及びその様々な実現形態におけるいずれかの方法を実現することができる。
【００２９】
第１１の態様によれば、命令を含むコンピュータプログラム製品を提供し、前記コンピュータプログラム製品がコンピュータ上で実行されるときに、このコンピュータに上記の第１の態様又は第１の態様のいずれかの選択可能な実現形態における方法を実行させる。
【００３０】
第１２の態様によれば、命令を含むコンピュータプログラム製品を提供し、前記コンピュータプログラム製品がコンピュータ上で実行されるときに、このコンピュータに上記の第２の態様又は第２の態様のいずれかの選択可能な実現形態における方法を実行させる。
【図面の簡単な説明】
【００３１】
【図１】本発明の実施例に係る１つの応用シーンの概略アーキテクチャ図である。
【図２】本発明の実施例に係るデータを伝送する方法の概略フローチャートである。
【図３】本発明の実施例に係る異なる伝送時間周期内のデータ伝送の模式図である。
【図４】本発明の実施例に係るデータを伝送する方法の概略フローチャートである。
【図５】本発明の実施例に係るネットワーク機器の概略ブロック図である。
【図６】本発明の実施例に係る端末機器の概略ブロック図である。
【図７】本発明の実施例に係るネットワーク機器の概略構造図である。
【図８】本発明の実施例に係る端末機器の概略構造図である。
【図９】本発明の実施例に係るシステムチップの概略構造図である。
【発明を実施するための形態】
【００３２】
以下、図面を参照しながら、本発明の実施例における技術手段を説明する。
【００３３】
本発明の実施例に係る技術手段は、グローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、ロングタームエボリューション（Ｌｏｎｇ  Ｔｅｒｍ  Ｅｖｏｌｕｔｉｏｎ，ＬＴＥ）システム、ＬＴＥ周波数分割複信（Ｆｒｅｑｕｅｎｃｙ  Ｄｉｖｉｓｉｏｎ  Ｄｕｐｌｅｘ，ＦＤＤ）システム、ＬＴＥ時間分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  ＴｅｌｅＣｏｍｍｕｎｉｃａｔｉｏｎ  Ｓｙｓｔｅｍ，ＵＭＴＳ）及び未来の５Ｇ通信システム等のような様々な通信システムに適用されることを理解されたい。
【００３４】
本発明は、端末機器に関連して様々な実施例を説明している。端末機器は、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器、未来５Ｇネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等であってもよい。
【００３５】
本発明は、ネットワーク機器に関連して様々な実施例を説明している。ネットワーク機器は、端末機器と通信するための機器であってもよく、例えば、ＧＳＭシステム又はＣＤＭＡにおける基地局（Ｂａｓｅ  Ｔｒａｎｓｃｅｉｖｅｒ  Ｓｔａｔｉｏｎ，ＢＴＳ）であってもよいし、ＷＣＤＭＡシステムにおける基地局（ＮｏｄｅＢ，ＮＢ）であってもよいし、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよく、又はこのネットワーク機器は、中継局、アクセスポイント、車載機器、ウェアラブル機器及び未来５Ｇネットワークにおけるネットワーク側機器又は未来進化のＰＬＭＮネットワークにおけるネットワーク側機器等であってもよい。
【００３６】
図１は、本発明の実施例に係る１つの応用シーンの模式図である。図１の通信システムは、ネットワーク機器１０及び端末機器２０を含んでもよい。ネットワーク機器１０は、端末機器２０に対して通信サービスを提供し、コアネットワークにアクセスするために使用され、端末機器２０は、ネットワーク機器１０により送信された同期信号、ブロードキャスト信号等をサーチすることでネットワークにアクセスすることができ、これにより、ネットワークと通信する。図１に示す矢印は、端末機器２０とネットワーク機器１０との間のセルラーリンクを介して行われる上り／下り伝送を表してもよい。
本発明の実施例におけるネットワークは、公衆陸上移動体ネットワーク（Ｐｕｂｌｉｃ  Ｌａｎｄ  Ｍｏｂｉｌｅ  Ｎｅｔｗｏｒｋ，ＰＬＭＮ）、デバイスツーデバイス（Ｄｅｖｉｃｅ  ｔｏ  Ｄｅｖｉｃｅ，Ｄ２Ｄ）ネットワーク、マシンツーマシン／マン（Ｍａｃｈｉｎｅ  ｔｏ  Ｍａｃｈｉｎｅ／Ｍａｎ，Ｍ２Ｍ）ネットワーク又は他のネットワークを指してもよく、図１は、単なる例示的な簡略模式図であり、ネットワークに他の端末機器がさらに含まれてもよく、図１には図示されていない。
【００３７】
端末機器とネットワーク機器との間のデータ伝送によって占有される周波数領域リソースは、リソースブロックグループ（Ｒｅｓｏｕｒｃｅ  Ｂｌｏｃｋ  Ｇｒｏｕｐ，ＲＢＧ）の単位で割り当てられ、各ＲＢＧには１組の連続したリソースブロック（Ｒｅｓｏｕｒｃｅ  Ｂｌｏｃｋ，ＲＢ）が含まれ、ＲＢＧサイズはシステム帯域幅に関連し、例えば、表１に示すシステム帯域幅とＲＢＧサイズとの間の関係のように、異なるシステム帯域幅（Ｓｙｓｔｅｍ  Ｂａｎｄｗｉｄｔｈ）の中でのＲＢＧサイズ（ＲＢＧ  Ｓｉｚｅ）は異なる。表１のシステム帯域幅は、システム帯域幅に含まれるＲＢの数で表され、ＲＢＧサイズは、各ＲＢＧに含まれるＲＢの数で表される。
【００３８】
【表１】
2020528681.tif 000007
【００３９】
これから分かるように、システム帯域幅の変化に伴い、ＲＢＧサイズも変化し、異なるシステム帯域幅でのＲＢＧの数が異なり、したがって、ネットワーク機器には、端末機器に伝送帯域幅内の複数のＲＢＧの中でそのデータ伝送のために使用されるＲＢＧを指示するための１ビット（ｂｉｔ）乃至２８ｂｉｔまでの不等なビットマップが必要であり、したがって、ダウンリンク制御情報のサイズが随時変化し、端末機器によりこのＤＣＩをブラインド検出するための可能なペイロード（ｐａｙｌｏａｄ）の数も様々であり、端末機器のブラインド検出の複雑さが高くなり、遅延及び消費電力の両方が増加される。
【００４０】
本発明の実施例によれば、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器及びネットワーク機器はＲＢＧのサイズを柔軟且つ効率的に決定することができ、ブラインド検出の複雑さが低減される。
【００４１】
図２は、本発明の実施例に係るデータを伝送する方法の概略フローチャートである。図２に示す方法は、端末機器により実行されることができ、この端末機器は例えば、図１に示す端末機器２０であってもよい。図２に示すように、このデータを伝送する方法は、ステップ２１０，２２０，２３０，２４０を含む。
【００４２】
ステップ２１０において、端末機器が特定のパラメータＭ及び端末機器により使用される伝送帯域幅に基づき、この伝送帯域幅でのリソースブロックグループＲＢＧサイズを決定する。
【００４３】
ここで、Ｍは正の整数である。Ｍは１つの固定値、つまり、いかなる伝送条件でも同じであり、Ｍはまた、伝送条件によって変化してもよく、異なる伝送条件、例えば、異なる基本パラメータセットを使用して伝送を行うときに、異なるＭ値を使用する。本発明の実施例における特定のパラメータＭは、下記の２つの方式で得ることができる。
【００４４】
方式１
選択的に、端末機器が特定のパラメータＭ及び端末機器により使用される伝送帯域幅に基づき、前記伝送帯域幅でのＲＢＧサイズを決定する前に、この方法は、端末機器が使用される基本パラメータセットに基づき、この基本パラメータセットに対応するＭを決定するステップをさらに含み、ここで、異なる基本パラメータセットは異なるＭに対応する。
【００４５】
この実施例では、端末機器は、自分が使用する基本パラメータセット、例えば、サブキャリア間隔及び多数の基本パラメータセットと複数のＭ値との間の対応関係に基づき、使用される基本パラメータセットに対応するＭの値を決定することができる。１種類の基本パラメータセットに対して同じＭ値を使用し、例えば、表２に示すように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３である。
【００４６】
【表２】
2020528681.tif 000008
【００４７】
方式２
選択的に、端末機器が特定のパラメータＭ及び端末機器により使用される伝送帯域幅に基づき、前記伝送帯域幅でのＲＢＧサイズを決定する前に、この方法は、端末機器がネットワーク機器により送信されたＭを指示するための第１の指示情報を受信するステップをさらに含む。
ここで、選択的に、この第１の指示情報は、ダウンリンク制御情報（Ｄｏｗｎｌｏａｄ  Ｃｏｎｔｒｏｌ  Ｉｎｆｏｒｍａｔｉｏｎ，ＤＣＩ）、無線リソース制御（Ｒａｄｉｏ  Ｒｅｓｏｕｒｃｅ  Ｃｏｎｔｒｏｌ，ＲＲＣ）シグナリング、システム情報（Ｓｙｓｔｅｍ  Ｉｎｆｏｒｍａｔｉｏｎ，ＳＩ）又はメディアアクセス制御（Ｍｅｄｉａ  Ａｃｃｅｓｓ  Ｃｏｎｔｒｏｌ，ＭＡＣ）制御要素（Ｃｏｎｔｒｏｌ  Ｅｌｅｍｅｎｔ，ＣＥ）を含む。
【００４８】
端末機器はＭを決定した後、また、自分が現在の伝送時間周期内で使用可能な伝送帯域幅を知る必要がある。選択的に、ステップ２１０の前に、この方法は、端末機器がこの伝送帯域幅を決定するステップをさらに含む。
【００４９】
ここで、この伝送帯域幅はシステム帯域幅以下であってもよく、端末機器が異なる伝送時間周期内で使用する伝送帯域幅は異なってもよい。例えば、端末機器が最初の時間周期Ｔ１でデータ伝送を行うときに使用する伝送帯域幅は４０ｋＨｚであり、次の時間周期Ｔ２でデータ伝送を行うときに使用する伝送帯域幅は８０ｋＨｚであってもよい。したがって、端末機器は、異なる伝送時間周期内で、使用される伝送帯域幅によって、ＲＢＧサイズを動的に調整することができ、これにより、柔軟で効率的なリソース割り当てを実現する。
【００５０】
選択的に、端末機器がこの伝送帯域幅を決定するステップは、端末機器がネットワーク機器により送信されたこの伝送帯域幅を指示するための第２の指示情報を受信するステップを含む。
【００５１】
ここで、選択的に、この第２の指示情報は、ＤＣＩ、ＲＲＣシグナリング、システム情報ＳＩ又はＭＡＣ  ＣＥを含む。
【００５２】
ステップ２１０において、端末機器は、Ｍの値及び使用される伝送帯域幅を取得した後、Ｍ及びこの伝送帯域幅に基づき、この伝送帯域幅でのＲＢＧサイズを決定することができる。
【００５３】
選択的に、この伝送帯域幅はＷに等しく、このＲＢＧサイズはＳに等しく、Ｓは予め設定された複数のＲＢＧサイズの中でＷ／Ｍより大きい最小のＲＢＧサイズである。
【００５４】
具体的に、端末機器は、特定のパラメータＭ及び使用される伝送帯域幅Ｗに基づき、両者の比Ｗ／Ｍを計算し、候補の複数のＲＢＧサイズの中でＷ／Ｍより大きい最小のＲＢＧサイズをこの伝送帯域幅Ｗで使用されるＲＢＧサイズとして選択する。複数のＲＢＧサイズの中でＷ／Ｍより大きい最小のＲＢＧサイズがＳに等しい場合、この伝送帯域幅Ｗで使用されるＲＢＧサイズはＳに等しい。
【００５５】
例えば、Ｍ＝３５、Ｗ＝２２０、及び候補のＲＢＧサイズに｛１、２、４、８、１６｝があるものとすると、Ｓは｛１、２、４、８、１６｝の中で２２０／３５より大きい最小の値、つまり、Ｓ＝８である。Ｍ＝３５、Ｗ＝５５、及び候補のＲＢＧサイズに｛１、２、４、８、１６｝があるものとすると、Ｓは｛１、２、４、８、１６｝の中で５５／３５より大きい最小の値、つまり、Ｓ＝２である。
【００５６】
ここでの伝送帯域幅は、この伝送帯域幅内に含まれるＲＢの数で表され、Ｗ＝２２０はこの伝送帯域幅に２２０個のＲＢが含まれ、Ｗ＝５５はこの伝送帯域幅に５５個のＲＢが含まれることを表すことを理解されたい。同様に、ＲＢＧサイズも１つのＲＢＧ内に含まれるＲＢの数で表されることができ、Ｓ＝８は１つのＲＢＧに８つのＲＢが含まれ、Ｓ＝２は１つのＲＢＧに２つのＲＢが含まれることを表す。もちろん、伝送帯域幅及びＲＢＧサイズは、ヘルツ（Ｈｚ）又はメガヘルツ（ＭＨｚ）等のような他の方式でも表されることができる。
【００５７】
また、端末機器は、伝送帯域幅Ｗ及びＭに基づき、Ｗ／Ｍを自体で計算し、複数のＲＢＧサイズの中でＷ／Ｍより大きい最小のＲＢＧサイズをこの伝送帯域幅で使用されるＲＢＧサイズとして選択することができ、また、この伝送帯域幅Ｗ及び複数の伝送帯域幅と複数のＲＢＧサイズと間の対応関係に基づき、この伝送帯域幅Ｗに対応するこのＲＢＧサイズを決定することができることを理解されたい。この複数の伝送帯域幅と複数のＲＢＧサイズとの間のこの対応関係は、例えば、表、式、イメージ等の方式で提示されてもよく、且つ、この対応関係において、異なる伝送帯域幅に対応するＲＢＧサイズは同じ又は異なっていてもよい。例えば、端末機器は、複数の伝送帯域幅と複数のＲＢＧサイズとの間の対応関係を含む表を照会することによって、この伝送帯域幅Ｗに対応するＲＢＧサイズＳを決定することができる。本発明は、これについて限定をしない。
【００５８】
ステップ２２０において、端末機器がネットワーク機器により送信されたダウンリンク制御情報で運搬されるビットマップを受信する。
【００５９】
ここで、このビットマップにはＭ個のビットが含まれる。
【００６０】
このＭ個のビットには、少なくともＮ個のビットがこの伝送帯域幅内のＮ個のＲＢＧの中でデータ伝送に使用されるターゲットＲＢＧを指示するために使用されることができる。このＮ個のビットにおける値により、端末機器は、Ｎ個のＲＢＧの中でネットワーク機器との間でこのデータを伝送するためのＲＢＧを選択することができる。
【００６１】
特定のパラメータＭ及び伝送帯域幅に基づいてＲＢＧサイズを決定することで、この伝送帯域幅に含まれるＲＢＧの数Ｎを得ることができることに留意されたい。ネットワーク機器は、ビットマップのＭ個のビットのうちのＮ個のビットを使用して、端末機器にこの伝送帯域幅のＮ個のＲＢＧの中でどのＲＢＧがデータを受信又は送信するＲＢＧであるかを指示する。
【００６２】
このビットマップのビット数を固定することによって、いずれの伝送帯域幅でもＭ個のビットを含むビットマップを使用してＲＢＧ割り当てを行うことができるのは、候補の複数のＲＢＧサイズが比較的大きな範囲をカバーする場合、異なる伝送帯域幅でのＲＢＧの数に大きな違いがなく、いずれもＭに近いからである。これにより、ビットマップのＭ個のビットの使用率Ｎ／Ｍは比較的高い。しかしながら、従来の場合、予め設定された少数の幾つかのＲＢＧサイズしか存在せず、帯域幅が大きく違うにも関わらず、同じＲＢＧサイズを使用する場合は、異なる伝送帯域幅でのＲＢＧの数が大きく違く、最大のＲＢＧの数をビットマップに含まれるビットの数として固定的に使用すると、ビットマップのかなりの部分のビットが無駄になってしまう。
【００６３】
ステップ２３０において、端末機器がこのＭ個のビットのうちのＮ個のビットにおける値に基づき、この伝送帯域幅内のＮ個のＲＢＧの中でデータ伝送に使用されるターゲットＲＢＧを決定する。
【００６４】
ここで、このＭ個のビットのうちのＮ個のビットは、この伝送帯域幅に含まれるＮ個のＲＢＧの中でデータ伝送に使用されるターゲットＲＢＧを指示するために使用され、ここで、Ｎは前記伝送帯域幅及び前記ＲＢＧサイズにより決定され、ＮはＭ以下の正の整数である。
【００６５】
具体的に、端末機器は、ネットワーク機器により送信されたこのビットマップにより、この伝送帯域幅内の複数のＲＢＧの中でどのＲＢＧがデータ伝送に使用されるＲＢＧであるかを決定する。このビットマップに含まれるビットの数はＭに等しく、且つ、このＭ個のビットには、Ｎ個のビットがこのＮ個のＲＢＧの中でデータ伝送に使用されるターゲットＲＢＧを指示するために使用される。残りのＭ−Ｎ個のビットは、空白を残し、又は他の信号の伝達に使用できる。
【００６６】
ここでのＮはこの伝送帯域幅及びこの伝送帯域幅でのＲＢＧサイズに関連する。選択的に、Ｎは
2020528681.tif 000009
に等しく、ここで、
2020528681.tif 000010
は切り上げである。Ｎは、ＲＢＧサイズがＳの場合、伝送帯域幅Ｗに含まれるＲＢＧの数として理解されることができ、したがって、ビットマップのＭ個のビットのうちのＮ個のビットは、このＮ個のＲＢＧの中でこの端末機器のデータ伝送に使用されるターゲットＲＢＧを指示するために使用される。
【００６７】
ステップ２４０において、端末機器がこのターゲットＲＢＧでネットワーク機器との間でこのデータを伝送する。
【００６８】
例えば、特定のパラメータＭ＝９、伝送帯域幅Ｗ＝４２、ＲＢＧサイズＳ＝８、
2020528681.tif 000011
のものとすると、ビットマップには９つのビットが含まれ、この９つのビットのうち６つのビットを使用してＲＢＧの割り当てを行う。ビットマップの各ビットにおける値が表３に示すようであるものとすると、この伝送帯域幅での最初の４つのＲＢＧ（ＲＢＧ識別子はそれぞれＲＢＧ＃０、ＲＢＧ＃１、ＲＢＧ＃２及びＲＢＧ＃３である）がネットワーク機器との間でこのデータを伝送するために使用されることを表すことができ、ここで、各ＲＢＧには８つのＲＢが含まれ、そこで、端末機器は次にＲＢＧ＃０乃至ＲＢＧ＃３でネットワーク機器にデータを送信し、又はネットワーク機器により送信されたデータを受信することができる。
【００６９】
【表３】
2020528681.tif 000012
【００７０】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧサイズを柔軟且つ効率的に決定することができ、ブラインド検出の複雑さが低減される。
【００７１】
端末機器は、特定のパラメータ及び伝送帯域幅に基づいてこの伝送帯域幅で使用されるＲＢＧサイズを柔軟に決定し、端末機器が異なる伝送帯域幅で使用するＲＢＧサイズがそれぞれ異なり、つまり、ＲＢＧサイズが伝送帯域幅によって変化するため、ビットマップをＭ個のビットに固定し、且つ、そのうちのＮ個のビットを使用してターゲットＲＢＧを指示しても、このＭ個のビットの使用率（Ｎ／Ｍ）は比較的高い。
【００７２】
以下、表４乃至表１２に関連して、本発明の実施例に係るデータを伝送する方法を例示的に説明する。ここで、伝送帯域幅Ｗは伝送帯域幅にＷ個のＲＢが含まれ、ＲＢＧサイズＳはＲＢＧにＳ個のＲＢが含まれることを表す。
【００７３】
表４は、サブキャリア間隔１５ｋＨｚ、Ｍ＝３５の場合の伝送帯域幅、ＲＢＧサイズ、及びターゲットＲＢＧを指示するビット数Ｎの間の関係である。表４に示すように、候補のＲＢＧサイズＳｉ＝｛１、２、４、８、１６｝であり、ある伝送帯域幅Ｗｉに対して、Ｗｉ／３５より大きい最小のＲＢＧサイズをこの伝送帯域幅ＷｉでのＲＢＧサイズＳｉとして採用する。ＲＢＧ割り当てに使用されるビットマップには３５個のビットが含まれ、
2020528681.tif 000013
のビットを使用してＲＢＧの割り当てを行うことができ、
2020528681.tif 000014
であり、残りのビットは、空白を残し、又は他の用途で使用されることができる。例えば、番号１に対応する行では、伝送帯域幅が５ＭＨｚ、つまり、Ｗ１＝２８の場合、｛１、２、４、８、１６｝の中で２８／３５より大きい最小のＲＢＧサイズＳ１＝１、
2020528681.tif 000015
であり、番号２に対応する行では、伝送帯域幅が１０ＭＨｚ、つまり、Ｗ２＝５５の場合、｛１、２、４、８、１６｝の中で５５／３５より大きい最小のＲＢＧサイズＳ２＝２、
2020528681.tif 000016
であり、番号８に対応する行では、伝送帯域幅が７０ＭＨｚ、つまり、Ｗ８＝３８５の場合、｛１、２、４、８、１６｝の中で３８５／３５より大きい最小のＲＢＧサイズＳ８＝１６、
2020528681.tif 000017
である。
【００７４】
【表４】
2020528681.tif 000018
【００７５】
端末機器が異なる伝送時間周期内で使用する伝送帯域幅は異なっていてもよく、例えば、図３に示す異なる伝送時間周期内のデータ伝送の模式図のようである。端末機器の伝送時間周期Ｔ１内の伝送帯域幅が４０ＭＨｚ、つまり、Ｗ５＝２２０の場合、表４によると、Ｔ１内のＲＢＧサイズＳ５＝８、つまり、１つのＲＢＧに８つのＲＢＧが含まれ、この端末機器の伝送時間周期Ｔ２内の伝送帯域幅が８０ＭＨｚ、つまり、Ｗ９＝４４０ｂの場合、表４によると、Ｔ２内のＲＢＧサイズＳ９＝１６、つまり、１つのＲＢＧに１６個のＲＢＧが含まれる。端末機器は、異なる伝送時間周期内で、使用される伝送帯域幅によって、ＲＢＧサイズを動的に調整することができ、これにより、柔軟で効率的なリソース割り当てを実現する。
【００７６】
これから分かるように、ここで、端末機器は、特定のパラメータＭ及び伝送帯域幅に基づいてＲＢＧサイズを決定し、これにより、この伝送帯域幅に含まれるＲＢＧの数Ｎが得られる。ビットマップのＭ個のビットのうちＮ個のビットが、この伝送帯域幅のＮ個のＲＢＧの中でどのＲＢＧがデータを受信又は送信するＲＢＧであるかを指示するために使用される。いかなる伝送帯域幅でもＭ個のビットを含むビットマップを使用してＲＢＧ割り当てを行う。候補の複数のＲＢＧサイズが比較的大きな範囲をカバーする場合、異なる伝送帯域幅でのＲＢＧの数に大きな違いがなく、いずれもＭに近い。例えば、表４の最後の列では、Ｎの最小値が２１、最大値が３５である。これにより、ビットマップの中のＭ個のビットの使用率Ｎ／Ｍは比較的高い。しかしながら、従来の場合、予め設定された少数の幾つかのＲＢＧサイズしか存在せず、例えば、表１に示すように、伝送帯域幅が１０の場合、ＲＢＧサイズは１であり、指示のために１０個のビットが必要である。しかしながら、伝送帯域幅が１１０の場合、ＲＢＧサイズは４であり、指示のために２８個のビットが必要である。ビットマップのサイズを２８個のビットに固定すると、伝送帯域幅が１０の場合、このビットマップの２８個のビットのうち１０個のビットのみがＲＢＧの指示のために使用され、残りのビットが無駄になってしまい、ビットの使用率が非常に低くなり、したがって、ビットマップのビット数を固定できない。異なる伝送帯域幅に対して送信されるビットマップのビット数が絶えず変化するため、端末機器のブラインド検出の複雑さが高くなる。
【００７７】
表５は、サブキャリア間隔３０ｋＨｚ、Ｍ＝３５の場合の伝送帯域幅、ＲＢＧサイズ、及びターゲットＲＢＧを指示するビット数Ｎの間の関係である。表５に示すように、候補のＲＢＧサイズＳｉ＝｛１、２、４、８｝であり、ある伝送帯域幅Ｗｉに対して、Ｗｉ／３５より大きい最小のＲＢＧサイズをこの伝送帯域幅ＷｉでのＲＢＧサイズＳｉとして採用する。ＲＢＧ割り当てに使用されるビットマップには３５個のビットが含まれ、
2020528681.tif 000019
のビットを使用してＲＢＧの割り当てを行うことができ、
2020528681.tif 000020
であり、残りのビットは、空白を残し、又は他の用途で使用されることができる。例えば、番号１に対応する行では、伝送帯域幅が５ＭＨｚ、つまり、Ｗ１＝１４の場合、｛１、２、４、８｝の中で１４／３５より大きい最小のＲＢＧサイズＳ１＝１、
2020528681.tif 000021
であり、番号２に対応する行では、伝送帯域幅が１０ＭＨｚ、つまり、Ｗ２＝２８の場合、｛１、２、４、８｝の中で２８／３５より大きい最小のＲＢＧサイズＳ２＝１、
2020528681.tif 000022
であり、番号７に対応する行では、伝送帯域幅が６０ＭＨｚ、つまり、Ｗ７＝１６５の場合、｛１、２、４、８｝の中で１６５／３５より大きい最小のＲＢＧサイズＳ７＝８、
2020528681.tif 000023
である。
【００７８】
【表５】
2020528681.tif 000024
【００７９】
表４及び表５から分かるように、サブキャリア間隔が異なる場合、同じＭ値を指定して使用することができる（いずれも３５）。又は、表６に示すように、サブキャリア間隔が異なる場合、異なるＭ値を使用することができる。
【００８０】
表６は、サブキャリア間隔３０ｋＨｚ、Ｍ＝１８の場合の伝送帯域幅、ＲＢＧサイズ、及びターゲットＲＢＧを指示するビット数Ｎの間の関係である。表６に示すように、候補のＲＢＧサイズＳｉ＝｛１、２、４、８、１６｝であり、ある伝送帯域幅Ｗｉに対して、Ｗｉ／１８より大きい最小のＲＢＧサイズをこの伝送帯域幅ＷｉでのＲＢＧサイズＳｉとして採用する。ＲＢＧ割り当てに使用されるビットマップには１８個のビットが含まれ、
2020528681.tif 000025
のビットを使用してＲＢＧの割り当てを行うことができ、
2020528681.tif 000026
であり、残りのビットは、空白を残し、又は他の用途で使用されることができる。例えば、番号１に対応する行では、伝送帯域幅が５ＭＨｚ、つまり、Ｗ１＝１４の場合、｛１、２、４、８、１６｝の中で１４／１８より大きい最小のＲＢＧサイズＳ１＝１、
2020528681.tif 000027
であり、番号２に対応する行では、伝送帯域幅が１０ＭＨｚ、つまり、Ｗ２＝２８の場合、｛１、２、４、８、１６｝の中で２８／１８より大きい最小のＲＢＧサイズＳ２＝２、
2020528681.tif 000028
であり、番号８に対応する行では、伝送帯域幅が７０ＭＨｚ、つまり、Ｗ８＝１９３の場合、｛１、２、４、８、１６｝の中で１９３／１８より大きい最小のＲＢＧサイズＳ８＝１６、
2020528681.tif 000029
である。
【００８１】
【表６】
2020528681.tif 000030
【００８２】
表４及び表６から分かるように、サブキャリア間隔が１５ｋＨｚの場合はＭ＝３５、サブキャリア間隔が３０ｋＨｚの場合はＭ＝１８であり、異なるサブキャリア間隔に対応するＭ値は異なり、サブキャリア間隔が１５ｋＨｚから３０ｋＨｚに変更された場合、Ｍ値を適切に減少でき、ビットマップのビットの数を減少することで、ダウンリンク制御シグナリングのオーバヘッドがさらに低減される。ビットマップのサイズが１８ｂｉｔに変更されたことが確認された後、端末機器は、３５ｂｉｔのビットマップに従ってダウンリンク制御シグナリングのブラインド検出を行わず、１８ｂｉｔのビットマップに従ってダウンリンク制御シグナリングのブラインド検出を行うことができ、同様に端末機器のブラインド検出の複雑さが増えない。
【００８３】
表７は、サブキャリア間隔６０ｋＨｚ、Ｍ＝３５の場合の伝送帯域幅、ＲＢＧサイズ、及びターゲットＲＢＧを指示するビット数Ｎの間の関係である。表７に示すように、候補のＲＢＧサイズＳｉ＝｛１、２、４｝であり、ある伝送帯域幅Ｗｉに対して、Ｗｉ／３５より大きい最小のＲＢＧサイズをこの伝送帯域幅ＷｉでのＲＢＧサイズＳｉとして採用する。ＲＢＧ割り当てに使用されるビットマップには３５個のビットが含まれ、
2020528681.tif 000031
のビットを使用してＲＢＧの割り当てを行うことができ、
2020528681.tif 000032
であり、残りのビットは、空白を残し、又は他の用途で使用されることができる。例えば、番号１に対応する行では、伝送帯域幅が５ＭＨｚ、つまり、Ｗ１＝７の場合、｛１、２、４｝の中で７／３５より大きい最小のＲＢＧサイズＳ１＝１、
2020528681.tif 000033
であり、番号４に対応する行では、伝送帯域幅が３０ＭＨｚ、つまり、Ｗ４＝４２の場合、｛１、２、４｝の中で４２／３５より大きい最小のＲＢＧサイズＳ４＝２、
2020528681.tif 000034
であり、番号７に対応する行では、伝送帯域幅が６０ＭＨｚ、つまり、Ｗ７＝８３の場合、｛１、２、４｝の中で８３／３５より大きい最小のＲＢＧサイズＳ７＝４、
2020528681.tif 000035
である。
【００８４】
【表７】
2020528681.tif 000036
【００８５】
表４、表５及び表７から分かるように、サブキャリア間隔が異なる場合、同じＭ値を指定して使用することができる（いずれも３５）。又は、表８に示すように、サブキャリア間隔が異なる場合、異なるＭ値を使用する。
【００８６】
表８は、サブキャリア間隔６０ｋＨｚ、Ｍ＝９の場合の伝送帯域幅、ＲＢＧサイズ、及びターゲットＲＢＧを指示するビット数Ｎの間の関係である。表８に示すように、候補のＲＢＧサイズＳｉ＝｛１、２、４、８、１６｝であり、ある伝送帯域幅Ｗｉに対して、Ｗｉ／９より大きい最小のＲＢＧサイズをこの伝送帯域幅ＷｉでのＲＢＧサイズＳｉとして採用する。ＲＢＧ割り当てに使用されるビットマップには９つのビットが含まれ、
2020528681.tif 000037
のビットを使用してＲＢＧの割り当てを行うことができ、
2020528681.tif 000038
であり、残りのビットは、空白を残し、又は他の用途で使用されることができる。例えば、番号１に対応する行では、伝送帯域幅が５ＭＨｚ、つまり、Ｗ１＝７の場合、｛１、２、４、８、１６｝の中で７／９より大きい最小のＲＢＧサイズＳ１＝１、
2020528681.tif 000039
であり、番号２に対応する行では、伝送帯域幅が１０ＭＨｚ、つまり、Ｗ２＝１４の場合、｛１、２、４、８、１６｝の中で１４／９より大きい最小のＲＢＧサイズＳ２＝２、
2020528681.tif 000040
であり、番号７に対応する行では、伝送帯域幅が６０ＭＨｚ、つまり、Ｗ７＝８３の場合、｛１、２、４、８、１６｝の中で８３／９より大きい最小のＲＢＧサイズＳ７＝１６、
2020528681.tif 000041
である。
【００８７】
【表８】
2020528681.tif 000042
【００８８】
表４、表６及び表８から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９であり、異なるサブキャリア間隔に対応するＭ値は異なり、サブキャリア間隔が１５ｋＨｚ又は３０ｋＨｚから６０ｋＨｚに変更された場合、Ｍ値を適切に減少でき、ビットマップのビットの数を減少することで、ダウンリンク制御シグナリングのオーバヘッドがさらに低減される。ビットマップのサイズが９ｂｉｔに変更されたことが確認された後、端末機器は、３５ｂｉｔのビットマップに従ってダウンリンク制御シグナリングのブラインド検出を行わず、９ｂｉｔのビットマップに従ってダウンリンク制御シグナリングのブラインド検出を行うことができ、同様に端末機器のブラインド検出の複雑さが増えない。
【００８９】
表９は、サブキャリア間隔１２０ｋＨｚ、Ｍ＝３５の場合の伝送帯域幅、ＲＢＧサイズ、及びターゲットＲＢＧを指示するビット数Ｎの間の関係である。表９に示すように、候補のＲＢＧサイズＳｉ＝｛１、２｝であり、ある伝送帯域幅Ｗｉに対して、Ｗｉ／３５より大きい最小のＲＢＧサイズをこの伝送帯域幅ＷｉでのＲＢＧサイズＳｉとして採用する。ＲＢＧ割り当てに使用されるビットマップには３５個のビットが含まれ、
2020528681.tif 000043
のビットを使用してＲＢＧの割り当てを行うことができ、
2020528681.tif 000044
であり、残りのビットは、空白を残し、又は他の用途で使用されることができる。例えば、番号１に対応する行では、伝送帯域幅が５ＭＨｚ、つまり、Ｗ１＝４の場合、｛１、２｝の中で４／３５より大きい最小のＲＢＧサイズＳ１＝１、
2020528681.tif 000045
であり、番号７に対応する行では、伝送帯域幅が６０ＭＨｚ、つまり、Ｗ７＝４２の場合、｛１、２｝の中で４２／３５より大きい最小のＲＢＧサイズＳ７＝２、
2020528681.tif 000046
である。
【００９０】
【表９】
2020528681.tif 000047
【００９１】
表４、表５、表７及び表９から分かるように、サブキャリア間隔が異なる場合、同じＭ値を指定して使用することができる（いずれも３５）。又は、表１０に示すように、サブキャリア間隔が異なる場合、異なるＭ値を使用する。
【００９２】
表１０は、サブキャリア間隔１２０ｋＨｚ、Ｍ＝５の場合の伝送帯域幅、ＲＢＧサイズ、及びターゲットＲＢＧを指示するビット数Ｎの間の関係である。表１０に示すように、候補のＲＢＧサイズＳｉ＝｛１、２、４、８、１６｝であり、ある伝送帯域幅Ｗｉに対して、Ｗｉ／５より大きい最小のＲＢＧサイズをこの伝送帯域幅ＷｉでのＲＢＧサイズＳｉとして採用する。ＲＢＧ割り当てに使用されるビットマップには５つのビットが含まれ、
2020528681.tif 000048
のビットを使用してＲＢＧの割り当てを行うことができ、
2020528681.tif 000049
であり、残りのビット空白を残し、又は他の用途で使用されることができる。例えば、番号１に対応する行では、伝送帯域幅が５ＭＨｚ、つまり、Ｗ１＝４の場合、｛１、２、４、８、１６｝の中で４／５より大きい最小のＲＢＧサイズＳ１＝１、
2020528681.tif 000050
であり、番号３に対応する行では、伝送帯域幅が２０ＭＨｚ、つまり、Ｗ３＝１４の場合、｛１、２、４、８、１６｝の中で１４／５より大きい最小のＲＢＧサイズＳ２＝４、
2020528681.tif 000051
であり、番号７に対応する行では、伝送帯域幅が６０ＭＨｚ、つまり、Ｗ７＝４２の場合、｛１、２、４、８、１６｝の中で４２／５より大きい最小のＲＢＧサイズＳ７＝１６、
2020528681.tif 000052
である。
【００９３】
【表１０】
2020528681.tif 000053
【００９４】
表４、表６、表８及び表１０から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５であり、異なるサブキャリア間隔に対応するＭ値は異なり、サブキャリア間隔が１５ｋＨｚ、３０ｋＨｚ又は６０ｋＨｚから１２０ｋＨｚに変更された場合、Ｍ値を適切に減少でき、ビットマップのビットの数を減少することで、ダウンリンク制御シグナリングのオーバヘッドがさらに低減される。ビットマップのサイズが５ｂｉｔに変更されたことが確認された後、端末機器は、３５ｂｉｔのビットマップに従ってダウンリンク制御シグナリングのブラインド検出を行わず、５ｂｉｔのビットマップに従ってダウンリンク制御シグナリングのブラインド検出を行うことができ、同様に端末機器のブラインド検出の複雑さが増えない。
【００９５】
表１１は、サブキャリア間隔２４０ｋＨｚ、Ｍ＝３５の場合の伝送帯域幅、ＲＢＧサイズ、及びターゲットＲＢＧを指示するビット数Ｎの間の関係である。表１１に示すように、候補のＲＢＧサイズＳｉ＝｛１｝であり、ある伝送帯域幅Ｗｉに対して、Ｗｉ／３５より大きい最小のＲＢＧサイズをこの伝送帯域幅ＷｉでのＲＢＧサイズＳｉとして採用する。ＲＢＧ割り当てに使用されるビットマップには３５個のビットが含まれ、
2020528681.tif 000054
のビットを使用してＲＢＧの割り当てを行うことができ、
2020528681.tif 000055
であり、残りのビットは、空白を残し、又は他の用途で使用されることができる。例えば、番号１に対応する行では、伝送帯域幅が５ＭＨｚ、つまり、Ｗ１＝２の場合、Ｓ１＝１、
2020528681.tif 000056
であり、番号７に対応する行では、伝送帯域幅が６０ＭＨｚ、つまり、Ｗ７＝２１の場合、Ｓ７＝１、
2020528681.tif 000057
である。
【００９６】
【表１１】
2020528681.tif 000058
【００９７】
表４、表５、表７、表９及び表１１から分かるように、サブキャリア間隔が異なる場合、同じＭ値を指定して使用することができる（いずれも３５）。又は、表１０に示すように、サブキャリア間隔が異なる場合、異なるＭ値を使用する。
【００９８】
表１２は、サブキャリア間隔２４０ｋＨｚ、Ｍ＝３の場合の伝送帯域幅、ＲＢＧサイズ、及びターゲットＲＢＧを指示するビット数Ｎの間の関係である。表１２に示すように、候補のＲＢＧサイズＳｉ＝｛１、２、４、８、１６｝であり、ある伝送帯域幅Ｗｉに対して、Ｗｉ／３より大きい最小のＲＢＧサイズをこの伝送帯域幅ＷｉでのＲＢＧサイズＳｉとして採用する。ＲＢＧ割り当てに使用されるビットマップには３つのビットが含まれ、
2020528681.tif 000059
のビットを使用してＲＢＧの割り当てを行うことができ、
2020528681.tif 000060
であり、残りのビットは、空白を残し、又は他の用途で使用されることができる。例えば、番号１に対応する行では、伝送帯域幅が５ＭＨｚ、つまり、Ｗ１＝２の場合、｛１、２、４、８、１６｝の中で２／３より大きい最小のＲＢＧサイズＳ１＝１、
2020528681.tif 000061
であり、番号４に対応する行では、伝送帯域幅が３０ＭＨｚ、つまり、Ｗ４＝１１の場合、｛１、２、４、８、１６｝の中で１１／３より大きい最小のＲＢＧサイズＳ４＝４、
2020528681.tif 000062
であり、番号７に対応する行では、伝送帯域幅が６０ＭＨｚ、つまり、Ｗ７＝２１の場合、｛１、２、４、８、１６｝の中で２１／３より大きい最小のＲＢＧサイズＳ７＝８、
2020528681.tif 000063
である。
【００９９】
【表１２】
2020528681.tif 000064
【０１００】
表４、表６、表８、表１０及び表１２から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３であり、異なるサブキャリア間隔に対応するＭ値は異なり、サブキャリア間隔が１５ｋＨｚ、３０ｋＨｚ、６０ｋＨｚ又は１２０ｋＨｚから２４０ｋＨｚに変更された場合、Ｍ値を適切に減少でき、ビットマップのビットの数を減少することで、ダウンリンク制御シグナリングのオーバヘッドがさらに低減される。ビットマップのサイズが３ｂｉｔに変更されたことが確認された後、端末機器は、３５ｂｉｔのビットマップに従ってダウンリンク制御シグナリングのブラインド検出を行わず、３ｂｉｔのビットマップに従ってダウンリンク制御シグナリングのブラインド検出を行うことができ、同様に端末機器のブラインド検出の複雑さが増えない。
【０１０１】
５Ｇ  ＮＲシステムにおける伝送帯域幅は大幅に向上され（例えば、最高１００ＭＨｚ）、ＲＢの数は５５０個に達することができ、したがって、周波数領域リソースをより柔軟に割り当てる必要があり、このため、より多様なＲＢＧサイズが必要である。しかしながら、ＬＴＥの設計方法によれば、リソース割り当てに使用されるビットマップのサイズがより頻繁に変化され、リソース割り当て情報を運搬するためのダウンリンク制御情報のサイズも頻繁に変化され、端末機器又はネットワーク機器によるＤＣＩブラインド検出時の可能なペイロード（ｐａｙｌｏａｄ）の数も可能性が多すぎるため、ブラインド検出の複雑さ、遅延及び消費電力が大幅に増える。
【０１０２】
本発明の実施例は、特定のパラメータに基づいて現在の伝送帯域幅で使用されるＲＢＧサイズを決定し、異なる伝送帯域幅に対して同じサイズのビットマップを使用してＲＢＧの指示を行うことを提案し、これにより、端末機器はＲＢＧのサイズを柔軟且つ効率的に決定することができ、ブラインド検出の複雑さが低減される。
【０１０３】
図４は、本発明の実施例に係るデータを伝送する方法の概略フローチャートである。図４に示す方法は、ネットワーク機器により実行されることができ、この端末機器は、例えば、図１に示すネットワーク機器１０であってもよい。図４に示すように、このデータを伝送する方法は、ステップ４１０，４２０，４３０，４４０，４５０を含む。
【０１０４】
ステップ４１０において、ネットワーク機器が特定のパラメータＭ及び端末機器とのデータ伝送に使用される伝送帯域幅に基づき、この伝送帯域幅でのリソースブロックグループＲＢＧサイズを決定する。
【０１０５】
ここで、Ｍは正の整数である。Ｍは１つの固定値、つまり、いかなる伝送条件でも同じであってもよく、Ｍはまた、伝送条件によって変化してもよく、異なる伝送条件、例えば、異なる基本パラメータセットを使用して伝送を行うときに、異なるＭ値を使用する。
【０１０６】
選択的に、ネットワーク機器が特定のパラメータＭ及び端末機器とのデータ伝送に使用される伝送帯域幅に基づき、この伝送帯域幅でのＲＢＧサイズを決定する前に、この方法は、ネットワーク機器が使用される基本パラメータセットに基づき、この基本パラメータセットに対応するＭを決定するステップをさらに含み、ここで、異なる基本パラメータセットは異なるＭに対応する。
【０１０７】
この実施例では、ネットワーク機器は、使用される基本パラメータセット、例えば、サブキャリア間隔及び多数の基本パラメータセットと複数のＭ値との間の対応関係に基づき、使用される基本パラメータセットに対応するＭの値を決定することができる。１種類の基本パラメータセットに対して同じＭ値を使用し、例えば、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３である。
【０１０８】
選択的に、この方法は、ネットワーク機器が端末機器にＭを指示するための第１の指示情報を送信するステップをさらに含む。
【０１０９】
ここで、選択的に、この第１の指示情報は、ダウンリンク制御情報、無線リソース制御ＲＲＣシグナリング、システム情報ＳＩ又はメディアアクセス制御要素ＭＡＣ  ＣＥを含む。
【０１１０】
ネットワーク機器はＭを決定した後、また、現在の伝送時間周期内でこの端末機器とデータ伝送を行うために使用される伝送帯域幅を知る必要がある。選択的に、ネットワーク機器が特定のパラメータＭ及び端末機器により使用される伝送帯域幅に基づき、この伝送帯域幅でのＲＢＧサイズを決定する前に、この方法は、ネットワーク機器がこの伝送帯域幅を決定するステップをさらに含む。
【０１１１】
ここで、この伝送帯域幅はシステム帯域幅以下であってもよく、ネットワーク機器が異なる伝送時間周期内でこの端末機器とデータ伝送を行うときに使用する伝送帯域幅は異なる。例えば、端末機器が最初の時間周期Ｔ１でデータ伝送を行うときに使用する伝送帯域幅は４０ｋＨｚであり、次の時間周期Ｔ２でデータ伝送を行うときに使用する伝送帯域幅は８０ｋＨｚであってもよい。したがって、端末機器は、異なる伝送時間周期内で、使用される伝送帯域幅によって、ＲＢＧサイズを動的に調整することができ、これにより、柔軟で効率的なリソース割り当てを実現する。
【０１１２】
選択的に、この方法は、ネットワーク機器が端末機器にこの伝送帯域幅を指示するための第２の指示情報を送信するステップをさらに含む。
【０１１３】
ここで、選択的に、この第２の指示情報は、ＤＣＩ、ＲＲＣシグナリング、システム情報ＳＩ又はＭＡＣ  ＣＥを含む。
【０１１４】
ステップ４１０において、ネットワーク機器がＭの値及び使用される伝送帯域幅を決定した後、Ｍ及びこの伝送帯域幅に基づき、この伝送帯域幅でのＲＢＧサイズを決定することができる。
【０１１５】
選択的に、この伝送帯域幅はＷに等しく、このＲＢＧサイズはＳに等しく、Ｓは予め設定された複数のＲＢＧサイズの中でＷ／Ｍより大きい最小のＲＢＧサイズである。
【０１１６】
具体的に、ネットワーク機器は、特定のパラメータＭ及び使用される伝送帯域幅Ｗに基づき、両者の比Ｗ／Ｍを計算し、候補の複数のＲＢＧサイズの中でＷ／Ｍより大きい最小のＲＢＧサイズをこの伝送帯域幅Ｗで使用されるＲＢＧサイズとして選択することができる。複数のＲＢＧサイズの中でＷ／Ｍより大きい最小のＲＢＧサイズがＳに等しい場合、この伝送帯域幅Ｗで使用されるＲＢＧサイズはＳに等しい。
【０１１７】
ネットワーク機器は、伝送帯域幅Ｗ及びＭに基づき、Ｗ／Ｍを自体で計算し、複数のＲＢＧサイズの中でＷ／Ｍより大きい最小のＲＢＧサイズをこの伝送帯域幅で使用されるＲＢＧサイズとして選択することができ、また、この伝送帯域幅Ｗ及び複数の伝送帯域幅と複数のＲＢＧサイズと間の対応関係に基づき、この伝送帯域幅Ｗに対応するこのＲＢＧサイズを決定することができることを理解されたい。この複数の伝送帯域幅と複数のＲＢＧサイズとの間のこの対応関係は、例えば、表、式、イメージ等の方式で提示されてもよく、且つ、この対応関係において、異なる伝送帯域幅に対応するＲＢＧサイズは同じ又は異なっていてもよい。例えば、端末機器は、複数の伝送帯域幅と複数のＲＢＧサイズとの間の対応関係を含む表を照会することによって、この伝送帯域幅Ｗに対応するＲＢＧサイズＳを決定することができる。本発明は、これについて限定をしない。
【０１１８】
ステップ４２０において、ネットワーク機器がこの伝送帯域幅内のＮ個のＲＢＧで、データ伝送に使用されるターゲットＲＢＧを決定する。
【０１１９】
ここで、Ｎは前記伝送帯域幅及び前記ＲＢＧサイズにより決定され、ＮはＭ以下の正の整数である。
【０１２０】
ここでのＮはこの伝送帯域幅及びこの伝送帯域幅でのＲＢＧサイズに関連する。選択的に、Ｎは
2020528681.tif 000065
に等しく、ここで、
2020528681.tif 000066
は切り上げである。Ｎは、ＲＢＧサイズがＳの場合、伝送帯域幅Ｗに含まれるＲＢＧの数として理解されることができる。
【０１２１】
ステップ４３０において、ネットワーク機器がこのターゲットＲＢＧに基づいてビットマップを生成し、このビットマップにはＭ個のビットが含まれ、このＭ個のビットのうちのＮ個のビットにおける値は前記ターゲットＲＢＧを指示するために使用される。
【０１２２】
具体的に、ネットワーク機器は、Ｎ個のＲＢＧの中でデータ伝送に使用されるターゲットＲＢＧを決定した後、ビットマップの方式で端末機器にこのターゲットＲＢＧを指示することができる。ビットマップにはＭ個のビットが含まれ、このＭ個のビットのうちのＮ個のビットにおける値は、Ｎ個のＲＢＧの中でどのＲＢＧがこの端末機器との間でデータ伝送を行うために使用されるかを表すために使用されることができる。
【０１２３】
ステップ４４０において、ネットワーク機器が端末機器にダウンリンク制御情報で運搬されるビットマップを送信する。
【０１２４】
ここで、このＭ個のビットのうちのＮ個のビットは、この伝送帯域幅に含まれるＮ個のＲＢＧの中でデータ伝送に使用されるターゲットＲＢＧを指示するために使用され、Ｎはこの伝送帯域幅及びこのＲＢＧサイズにより決定される。
【０１２５】
具体的に、ネットワーク機器は、端末機器にこのビットマップを送信することによって、端末機器がこの伝送帯域幅での複数のＲＢＧの中でどのＲＢＧでデータ伝送を行うかを指示する。このビットマップに含まれるビットの数はＭに等しく、且つ、このＭ個のビットには、少なくともＮ個のビットがこの伝送帯域幅内のＮ個のＲＢＧの中で端末機器との間でデータ伝送を行うために使用されるターゲットＲＢＧを指示するために使用されることができる。残りのＭ−Ｎ個のビットは、空白を残し、又は他の信号の伝達に使用できる。
【０１２６】
Ｎは、ＲＢＧサイズがＳの場合、伝送帯域幅Ｗに含まれるＲＢＧの数として理解されることができる。したがって、ビットマップのＭ個のビットのうちのＮ個のビットは、このＮ個のＲＢＧの中でこの端末機器のデータ伝送のために使用されるターゲットＲＢＧを指示するために使用される。
【０１２７】
ステップ４５０において、ネットワーク機器がこのターゲットＲＢＧで端末機器との間でこのデータを伝送する。
【０１２８】
ネットワーク機器がＲＢＧサイズを決定し、このＲＢＧサイズ及びビットマップに基づいてデータ伝送を行うプロセスは、具体的に前述の図２に係る端末機器の説明を参照することができ、簡潔にするために、ここで詳細な説明を省略することを理解されたい。
【０１２９】
本発明の実施例によれば、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧサイズを柔軟且つ効率的に決定することができ、ブラインド検出の複雑さが低減される。
【０１３０】
ネットワーク機器は、特定のパラメータ及び伝送帯域幅に基づいてこの伝送帯域幅で使用されるＲＢＧサイズを柔軟に決定し、ネットワーク機器が異なる伝送帯域幅で使用するＲＢＧサイズがそれぞれ異なり、つまり、ＲＢＧサイズが伝送帯域幅によって変化するため、ビットマップをＭ個のビットに固定し、且つ、そのうちのＮ個のビットを使用してターゲットＲＢＧを指示しても、このＭ個のビットの使用率（Ｎ／Ｍ）は比較的高い。
【０１３１】
本発明の様々な実施例では、上記の各プロセスの番号の大きさは、実行する前後順序を意味するものではなく、各プロセスの実行順序は、その機能及び内部論理により決定されるべきであり、本発明の実施例に係る実施プロセスに対するいかなる限定を構成しないことを理解されたい。
【０１３２】
図５は、本発明の実施例に係る端末機器５００の概略ブロック図である。図５に示すように、この端末機器５００は、決定ユニット５１０及び伝送ユニット５２０を備える。ここで、
決定ユニット５１０は、特定のパラメータＭ及び前記端末機器により使用される伝送帯域幅に基づき、前記伝送帯域幅でのリソースブロックグループＲＢＧサイズを決定するために使用され、Ｍは正の整数である。
【０１３３】
伝送ユニット５２０は、ネットワーク機器により送信されたダウンリンク制御情報で運搬されるビットマップを受信するために使用され、前記ビットマップにはＭ個のビットが含まれる。
【０１３４】
決定ユニット５１０はまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数である。
【０１３５】
伝送ユニット５２０はまた、前記ターゲットＲＢＧで前記ネットワーク機器との間で前記データを伝送するために使用される。
【０１３６】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧのサイズを柔軟且つ効率的に決定することができ、ブラインド検出の複雑さが低減される。
【０１３７】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１３８】
選択的に、Ｎは
2020528681.tif 000067
に等しく、ここで、
2020528681.tif 000068
は切り上げである。
【０１３９】
選択的に、前記決定ユニット５１０はまた、使用される基本パラメータセットに基づき、前記基本パラメータセットに対応するＭを決定するために使用され、ここで、異なる基本パラメータセットは異なるＭに対応する。
【０１４０】
選択的に、前記伝送ユニット５２０はまた、前記ネットワーク機器により送信されたＭを指示するための第１の指示情報を受信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１４１】
選択的に、前記決定ユニット５１０はまた、前記伝送帯域幅を決定するために使用され、ここで、前記端末機器が異なる伝送時間周期内で使用する伝送帯域幅は異なる。
【０１４２】
選択的に、前記決定ユニット５１０は具体的に、前記伝送ユニット５２０を介して、前記ネットワーク機器により送信された前記伝送帯域幅を指示するための第２の指示情報を受信するために使用され、前記第２の指示情報は、ＤＣＩ、ＲＲＣシグナリング、システム情報ＳＩ又はＭＡＣ  ＣＥを含む。
【０１４３】
図６は、本発明の実施例に係るネットワーク機器６００の概略ブロック図である。図６に示すように、このネットワーク機器６００は、決定ユニット６１０、処理ユニット６２０及び伝送ユニット６３０を備える。ここで、
決定ユニット６１０は、特定のパラメータＭ及び端末機器とのデータ伝送に使用される伝送帯域幅に基づき、前記伝送帯域幅でのリソースブロックグループＲＢＧサイズを決定するために使用され、Ｍは正の整数である。
【０１４４】
決定ユニット６１０はまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、ＮはＭ以下の正の整数である。
【０１４５】
処理ユニット６２０は、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用される。
【０１４６】
伝送ユニット６３０は、前記端末機器にダウンリンク制御情報で運搬される前記ビットマップを送信するために使用される。
【０１４７】
伝送ユニット６３０はまた、前記ターゲットＲＢＧで前記端末機器との間で前記データを伝送するために使用される。
【０１４８】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧのサイズを柔軟且つ効率的に決定することができ、ブラインド検出の複雑さが低減される。
【０１４９】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１５０】
選択的に、Ｎは
2020528681.tif 000069
に等しく、ここで、
2020528681.tif 000070
は切り上げである。
【０１５１】
選択的に、前記決定ユニット６１０はまた、使用される基本パラメータセットに基づき、前記基本パラメータセットに対応するＭを決定するために使用され、ここで、異なる基本パラメータセットは異なるＭに対応する。
【０１５２】
選択的に、前記伝送ユニット６３０はまた、前記端末機器にＭを指示するための第１の指示情報を送信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１５３】
選択的に、前記決定ユニット６１０はまた、前記伝送帯域幅を決定するために使用され、ここで、前記ネットワーク機器が異なる伝送時間周期内で前記端末機器とデータ伝送を行うときに使用する伝送帯域幅は異なる。
【０１５４】
選択的に、前記伝送ユニット６３０はまた、前記端末機器に前記伝送帯域幅を指示するための第２の指示情報を送信するために使用され、前記第２の指示情報は、ＤＣＩ、ＲＲＣシグナリング、システム情報ＳＩ又はＭＡＣ  ＣＥを含む。
【０１５５】
図７は、本発明の実施例に係る端末機器７００の概略構造図である。図７に示すように、この端末機器は、プロセッサー７１０、送受信機７２０及びメモリ７３０を備え、ここで、このプロセッサー７１０、送受信機７２０及びメモリ７３０の間は、内部接続通路を介して互いに通信する。このメモリ７３０は、命令を格納するために使用され、このプロセッサー７１０は、このメモリ７３０に格納された命令を実行して、この送受信機７２０が信号を受信又は送信するように制御するために使用される。
【０１５６】
ここで、このプロセッサー７１０は、特定のパラメータＭ及び前記端末機器により使用される伝送帯域幅に基づき、前記伝送帯域幅でのリソースブロックグループＲＢＧサイズを決定するために使用され、Ｍは正の整数である。
【０１５７】
この送受信機７２０は、ネットワーク機器により送信されたダウンリンク制御情報で運搬されるビットマップを受信するために使用され、前記ビットマップにはＭ個のビットが含まれる。
【０１５８】
このプロセッサー７１０はまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数である。
【０１５９】
この送受信機７２０はまた、前記ターゲットＲＢＧで前記ネットワーク機器との間で前記データを伝送するために使用される。
【０１６０】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧのサイズを柔軟且つ効率的に決定することができ、ブラインド検出の複雑さが低減される。
【０１６１】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１６２】
選択的に、Ｎは
2020528681.tif 000071
に等しく、ここで、
2020528681.tif 000072
は切り上げである。
【０１６３】
選択的に、前記プロセッサー７１０はまた、使用される基本パラメータセットに基づき、前記基本パラメータセットに対応するＭを決定するために使用され、ここで、異なる基本パラメータセットは異なるＭに対応する。
【０１６４】
選択的に、前記送受信機７２０はまた、前記ネットワーク機器により送信されたＭを指示するための第１の指示情報を受信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１６５】
選択的に、前記プロセッサー７１０はまた、前記伝送帯域幅を決定するために使用され、ここで、前記端末機器が異なる伝送時間周期内で使用する伝送帯域幅は異なる。
【０１６６】
選択的に、前記プロセッサー７１０は具体的に、前記送受信機７２０を介して、前記ネットワーク機器により送信された前記伝送帯域幅を指示するための第２の指示情報を受信するために使用され、前記第２の指示情報は、ＤＣＩ、ＲＲＣシグナリング、システム情報ＳＩ又はＭＡＣ  ＣＥを含む。
【０１６７】
本発明の実施例では、このプロセッサー７１０は中央監視ユニット（Ｃｅｎｔｒａｌ  Ｐｒｏｃｅｓｓｉｎｇ  Ｕｎｉｔ，ＣＰＵ）であってもよく、このプロセッサー７１０はまた、他の汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、個別ゲート又はトランジスタ論理デバイス、個別ハードウェアコンポーネント等であってもよいことを理解されたい。汎用プロセッサーはマイクロプロセッサーであってもよく、又は、このプロセッサーはまた、任意の従来のプロセッサー等であってもよい。
【０１６８】
このメモリ７３０は、読み取り専用メモリ及びランダムアクセスメモリを含んでもよく、プロセッサー７１０に命令及びデータを提供する。メモリ７３０の一部は、また不揮発性ランダムアクセスメモリを含んでもよい。
【０１６９】
実現時に、上記の方法の各ステップは、プロセッサー７１０内のハードウェアの集積論理回路又はソフトウェアの形の命令により完了されることができる。本発明の実施例に開示された測位方法のステップに関連して、ハードウェアプロセッサーにより実行されて完了し、又はプロセッサー７１０内のハードウェア及びソフトウェアモジュールの組み合わせで実行して完了するように具現化されることができる。ソフトウェアモジュールは、ランダムメモリ、フラッシュメモリ、読み取り専用メモリ、プログラマブル読み取り専用メモリ又は電気的に消去可能なプログラマブルメモリ、レジスタ等の当技術分野でよく知られている記録媒体内に配置されることができる。この記録媒体はメモリ７３０に配置され、プロセッサー７１０は、メモリ７３０内の情報を読み取り、そのハードウェアと組み合わせて上記の方法のステップを完了する。重複を避けるために、ここで詳細な説明を省略する。
【０１７０】
本発明の実施例に係る端末機器７００は、上記の方法２００において方法２００を実行するための端末機器、及び本発明の実施例に係る端末機器５００に対応でき、且つ、この端末機器７００内の各ユニット又はモジュールのそれぞれは、上記の方法１００において端末機器により実行される各動作又は処理プロセスを実行するために使用され、簡潔にするために、ここで詳細な説明を省略する。
【０１７１】
図８は、本発明の実施例に係るネットワーク機器８００の概略構造図である。図８に示すように、このネットワーク機器は、プロセッサー８１０、送受信機８２０及びメモリ８３０を備え、ここで、このプロセッサー８１０、送受信機８２０及びメモリ８３０の間は、内部接続通路を介して互いに通信する。このメモリ８３０は、命令を格納するために使用され、このプロセッサー８１０は、このメモリ８３０に格納された命令を実行して、この送受信機８２０が信号を受信又は送信するように制御するために使用される。
【０１７２】
ここで、このプロセッサー８１０は、特定のパラメータＭ及び端末機器とのデータ伝送に使用される伝送帯域幅に基づき、前記伝送帯域幅でのリソースブロックグループＲＢＧサイズを決定するために使用され、Ｍは正の整数である。
【０１７３】
このプロセッサー８１０はまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、ＮはＭ以下の正の整数である。
【０１７４】
このプロセッサー８１０はまた、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用される。
【０１７５】
この送受信機８２０はまた、前記端末機器にダウンリンク制御情報で運搬される前記ビットマップを送信するために使用される。
【０１７６】
この送受信機８２０はまた、前記ターゲットＲＢＧで前記端末機器との間で前記データを伝送するために使用される。
【０１７７】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧのサイズを柔軟且つ効率的に決定することができ、ブラインド検出の複雑さが低減される。
【０１７８】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１７９】
選択的に、Ｎは
2020528681.tif 000073
に等しく、ここで、
2020528681.tif 000074
は切り上げである。
【０１８０】
選択的に、前記プロセッサー８１０はまた、使用される基本パラメータセットに基づき、前記基本パラメータセットに対応するＭを決定するために使用され、ここで、異なる基本パラメータセットは異なるＭに対応する。
【０１８１】
選択的に、前記送受信機８２０はまた、前記端末機器にＭを指示するための第１の指示情報を送信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１８２】
選択的に、前記プロセッサー８１０はまた、前記伝送帯域幅を決定するために使用され、ここで、前記ネットワーク機器が異なる伝送時間周期内で前記端末機器とデータ伝送を行うときに使用する伝送帯域幅は異なる。
【０１８３】
選択的に、前記送受信機８２０はまた、前記端末機器に前記伝送帯域幅を指示するための第２の指示情報を送信するために使用され、前記第２の指示情報は、ＤＣＩ、ＲＲＣシグナリング、システム情報ＳＩ又はＭＡＣ  ＣＥを含む。
【０１８４】
本発明の実施例では、このプロセッサー８１０は中央監視ユニット（Ｃｅｎｔｒａｌ  Ｐｒｏｃｅｓｓｉｎｇ  Ｕｎｉｔ，ＣＰＵ）であってもよく、このプロセッサー７１０はまた、他の汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、個別ゲート又はトランジスタ論理デバイス、個別ハードウェアコンポーネント等であってもよいことを理解されたい。汎用プロセッサーはマイクロプロセッサーであってもよく、又は、このプロセッサーはまた、任意の従来のプロセッサー等であってもよい。
【０１８５】
このメモリ８３０は、読み取り専用メモリ及びランダムアクセスメモリを含んでもよく、プロセッサー８１０に命令及びデータを提供する。メモリ８３０の一部は、また不揮発性ランダムアクセスメモリを含んでもよい。実現時に、上記の方法の各ステップは、プロセッサー８１０内のハードウェアの集積論理回路又はソフトウェアの形の命令により完了されることができる。本発明の実施例に開示された測位方法のステップに関連して、ハードウェアプロセッサーにより実行されて完了し、又はプロセッサー８１０内のハードウェア及びソフトウェアモジュールの組み合わせで実行して完了するように具現化されることができる。ソフトウェアモジュールは、ランダムメモリ、フラッシュメモリ、読み取り専用メモリ、プログラマブル読み取り専用メモリ又は電気的に消去可能なプログラマブルメモリ、レジスタ等の当技術分野でよく知られている記録媒体内に配置されることができる。この記録媒体はメモリ８３０に配置され、プロセッサー８１０は、メモリ８３０内の情報を読み取り、そのハードウェアと組み合わせて上記の方法のステップを完了する。重複を避けるために、ここで詳細な説明を省略する。
【０１８６】
本発明の実施例に係るネットワーク機器８００は、上記の方法４００において方法４００を実行するためのネットワーク機器、及び本発明の実施例に係るネットワーク機器６００に対応でき、且つ、このネットワーク機器８００内の各ユニット又はモジュールのそれぞれは、上記の方法４００においてネットワーク機器により実行される各動作又は処理プロセスを実行するために使用され、簡潔にするために、ここで詳細な説明を省略する。
【０１８７】
図９は、本発明の実施例に係るシステムチップの１つの概略構造図である。図９のシステムチップ９００は、入力インターフェース９０１、出力インターフェース９０２、少なくとも１つのプロセッサー９０３、メモリ９０４を備え、前記入力インターフェース９０１、出力インターフェース９０２、前記プロセッサー９０３及びメモリ９０４の間は、内部接続通路を介して互いに接続される。前記プロセッサー９０３は、前記メモリ９０４内のコードを実行するために使用される。
【０１８８】
選択的に、前記コードが実行されると、前記プロセッサー９０３は、方法の実施例において端末機器により実行される方法２００を実現することができる。簡潔にするために、ここで詳細な説明を省略する。
【０１８９】
選択的に、前記コードが実行されると、前記プロセッサー９０３は、方法の実施例においてネットワーク機器により実行される方法４００を実現することができる。簡潔にするために、ここで詳細な説明を省略する。
【０１９０】
当業者であれば、本明細書に開示された実施例に関連して説明された様々な例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると見なすべきではない。
【０１９１】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０１９２】
本発明に提供された幾つかの実施例において、開示されたシステム、装置及び方法は、他の方式で実現されてもよいことを理解されたい。例えば、上述のような装置の実施例は、単なる例にすぎず、例えば、このユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１９３】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１９４】
なお、本発明の様々な実施例に係る各機能ユニットは、１つの監視ユニットに集積されていてもよく、各ユニットが単独に物理的に存在していてもよく、２つ又は２つ以上のユニットが１つのユニットに集積されていてもよい。
【０１９５】
この機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の様々な実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【０１９６】
以上は、本発明の具体的な実施形態にすぎず、本発明の実施例の範囲はこれらに限定されない。この技術分野の当業者であれば、いずれも本発明の実施例に提示された技術範囲内で、変更又は置き換えを行うことを容易に想到し得るものがいずれも本発明の実施例の範囲に含まれる。したがって、本発明の実施例の範囲は、特許請求の範囲により示される。
【図１】
2020528681.tif 000083
【図２】
2020528681.tif 000084
【図３】
2020528681.tif 000085
【図４】
2020528681.tif 000086
【図５】
2020528681.tif 000087
【図６】
2020528681.tif 000088
【図７】
2020528681.tif 000089
【図８】
2020528681.tif 000090
【図９】
2020528681.tif 000091
【手続補正書】
【提出日】令和2年5月11日(2020.5.11)
【手続補正１】
【補正対象書類名】明細書
【補正対象項目名】全文
【補正方法】変更
【補正の内容】
【発明の詳細な説明】
【技術分野】
【０００１】
本発明は、無線通信分野に関し、より具体的に、データを伝送する方法、端末機器及びネットワーク機器に関する。
【背景技術】
【０００２】
ロングタームエボリューション（Ｌｏｎｇ  Ｔｅｒｍ  Ｅｖｏｌｕｔｉｏｎ，ＬＴＥ）システムでは、データ伝送によって占有される周波数領域リソースは、リソースブロックグループ（Ｒｅｓｏｕｒｃｅ  Ｂｌｏｃｋ  Ｇｒｏｕｐ，ＲＢＧ）の単位で割り当てられ、各ＲＢＧには１組の連続したリソースブロック（Ｒｅｓｏｕｒｃｅ  Ｂｌｏｃｋ，ＲＢ）が含まれ、ＲＢＧサイズ（ＲＢＧ  Ｓｉｚｅ）はシステム帯域幅に関連し、異なるシステム帯域幅でのＲＢＧサイズは異なり、したがって、異なるシステム帯域幅でのＲＢＧの数も異なる。ネットワーク機器は、端末機器により使用されるＲＢＧをダウンリンク制御情報（Ｄｏｗｎｌｏａｄ  Ｃｏｎｔｒｏｌ  Ｉｎｆｏｒｍａｔｉｏｎ，ＤＣＩ）で運搬されるビットマップ（ｂｉｔｍａｐ）を介して端末機器に指示することができる。
【０００３】
５Ｇシステム又は新無線（Ｎｅｗ  Ｒａｄｉｏ）システムでは、端末機器の使用帯域幅又は伝送帯域幅（ｂａｎｄｗｉｄｔｈ  ｐａｒｔ）はシステム帯域幅より小さくてもよく、端末機器は、異なる期間内で異なる伝送帯域幅を使用してデータ伝送を行うことができ、伝送帯域幅の変化に伴い、ネットワーク機器は、ＲＢＧの指示を行うための異なるサイズのビットマップを必要とし、このため、端末機器によるブラインド検出の回数が増加され、端末機器のブラインド検出の複雑さが高くなる。
【発明の概要】
【発明が解決しようとする課題】
【０００４】
本発明の実施例は、機器のブラインド検出の複雑さを低減できるデータを伝送する方法、端末機器及びネットワーク機器を提供する。
【課題を解決するための手段】
【０００５】
第１の態様によれば、端末機器が特定のパラメータＭ及び前記端末機器により使用される伝送帯域幅に基づき、前記伝送帯域幅でのリソースブロックグループＲＢＧサイズを決定するステップと、前記端末機器がネットワーク機器により送信されたダウンリンク制御情報で運搬されるビットマップを受信し、前記ビットマップにはＭ個のビットが含まれるステップと、前記端末機器が前記Ｍ個のビットのうちのＮ個のビットにおける値に基づき、前記伝送帯域幅内のＮ個のＲＢＧの中でデータ伝送に使用されるターゲットＲＢＧを決定するステップと、前記端末機器が前記ターゲットＲＢＧで前記ネットワーク機器との間で前記データを伝送するステップと、を含み、ここで、Ｍは正の整数であり、Ｎは前記伝送帯域幅及び前記ＲＢＧサイズにより決定され、ＮはＭ以下の正の整数であるデータを伝送する方法を提供する。
【０００６】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧサイズを柔軟且つ効率的に決定することができ、ブラインド検出の複雑さが低減される。
【０００７】
一可能な実現形態では、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０００８】
2020528681.tif 000092
【０００９】
一可能な実現形態では、前記端末機器がＭ及び前記端末機器により使用される伝送帯域幅に基づき、前記伝送帯域幅でのＲＢＧサイズを決定する前に、前記方法は、前記端末機器が使用される基本パラメータセットに基づき、前記基本パラメータセットに対応するＭを決定するステップをさらに含み、ここで、異なる基本パラメータセットは異なるＭに対応する。
【００１０】
一可能な実現形態では、前記端末機器がＭ及び前記端末機器により使用される伝送帯域幅に基づき、前記伝送帯域幅でのＲＢＧサイズを決定する前に、前記方法は、前記端末機器が前記ネットワーク機器により送信されたＭを指示するための第１の指示情報を受信するステップをさらに含み、ここで、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【００１１】
一可能な実現形態では、前記端末機器がＭ及び前記端末機器により使用される伝送帯域幅に基づき、前記伝送帯域幅でのＲＢＧサイズを決定する前に、前記方法は、前記端末機器が前記伝送帯域幅を決定するステップをさらに含み、ここで、前記端末機器が異なる伝送時間周期内で使用する伝送帯域幅は異なる。
【００１２】
一可能な実現形態では、前記端末機器が前記伝送帯域幅を決定するステップは、前記端末機器が前記ネットワーク機器により送信された前記伝送帯域幅を指示するための第２の指示情報を受信するステップを含み、前記第２の指示情報は、ＤＣＩ、ＲＲＣシグナリング、システム情報ＳＩ又はＭＡＣ  ＣＥを含む。
【００１３】
第２の態様によれば、ネットワーク機器が特定のパラメータＭ及び端末機器とのデータ伝送に使用される伝送帯域幅に基づき、前記伝送帯域幅でのリソースブロックグループＲＢＧサイズを決定するステップと、前記ネットワーク機器が前記伝送帯域幅内のＮ個のＲＢＧの中で、データ伝送に使用されるターゲットＲＢＧを決定するステップと、前記ネットワーク機器が前記ターゲットＲＢＧに基づいてビットマップを生成し、前記ビットマップにはＭ個のビットが含まれ、前記Ｍ個のビットのうちのＮ個のビットにおける値は前記ターゲットＲＢＧを指示するために使用されるステップと、前記ネットワーク機器が前記端末機器にダウンリンク制御情報で運搬される前記ビットマップを送信するステップと、前記ネットワーク機器が前記ターゲットＲＢＧで前記端末機器との間で前記データを伝送するステップと、を含み、ここで、Ｍは正の整数であり、Ｎは前記伝送帯域幅及び前記ＲＢＧサイズにより決定され、ＮはＭ以下の正の整数であるデータを伝送する方法を提供する。
【００１４】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧサイズを柔軟且つ効率的に決定することができ、ブラインド検出の複雑さが低減される。
【００１５】
一可能な実現形態では、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【００１６】
2020528681.tif 000093
【００１７】
一可能な実現形態では、前記ネットワーク機器がＭ及び端末機器とのデータ伝送に使用される伝送帯域幅に基づき、前記伝送帯域幅でのＲＢＧサイズを決定する前に、前記方法は、前記ネットワーク機器が使用される基本パラメータセットに基づき、前記基本パラメータセットに対応するＭを決定するステップをさらに含み、ここで、異なる基本パラメータセットは異なるＭに対応する。
【００１８】
一可能な実現形態では、前記方法は、前記ネットワーク機器が前記端末機器にＭを指示するための第１の指示情報を送信するステップをさらに含み、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【００１９】
一可能な実現形態では、前記ネットワーク機器がＭ及び端末機器とのデータ伝送に使用される伝送帯域幅に基づき、前記伝送帯域幅でのＲＢＧサイズを決定する前に、前記方法は、前記ネットワーク機器が前記伝送帯域幅を決定するステップをさらに含み、ここで、前記ネットワーク機器が異なる伝送時間周期内で前記端末機器とデータ伝送を行うときに使用する伝送帯域幅は異なる。
【００２０】
一可能な実現形態では、前記方法は、前記ネットワーク機器が前記端末機器に前記伝送帯域幅を指示するための第２の指示情報を送信するステップをさらに含み、前記第２の指示情報は、ＤＣＩ、ＲＲＣシグナリング、システム情報ＳＩ又はＭＡＣ  ＣＥを含む。
【００２１】
第３の態様によれば、上記の第１の態様又は第１の態様の任意の選択可能な実現形態における端末機器の動作を実行できる端末機器を提供する。具体的に、この端末機器は、上記の第１の態様又は第１の態様の任意の可能な実現形態における端末機器の動作を実行するためのモジュールユニットを備えてもよい。
【００２２】
第４の態様によれば、上記の第２の態様又は第２の態様の任意の選択可能な実現形態におけるネットワーク機器の動作を実行できるネットワーク機器を提供する。具体的に、このネットワーク機器は、上記の第２の態様又は第２の態様の任意の可能な実現形態におけるネットワーク機器の動作を実行するためのモジュールユニットを備えてもよい。
【００２３】
第５の態様によれば、プロセッサー、送受信機及びメモリを備える端末機器を提供する。ここで、このプロセッサー、送受信機及びメモリの間は、内部接続通路を介して互いに通信する。このメモリは、命令を格納するために使用され、このプロセッサーは、このメモリに格納された命令を実行するために使用される。このプロセッサーがこのメモリに格納された命令を実行するとき、この実行により、この端末機器が第１の態様又は第１の態様の任意の可能な実現形態における方法を実行し、又はこの実行により、この端末機器が第３の態様に提供される端末機器を実現する。
【００２４】
第６の態様によれば、プロセッサー、送受信機及びメモリを備えるネットワーク機器を提供する。ここで、このプロセッサー、送受信機及びメモリの間は、内部接続通路を介して互いに通信する。このメモリは、命令を格納するために使用され、このプロセッサーは、このメモリに格納された命令を実行するために使用される。このプロセッサーがこのメモリに格納された命令を実行するとき、この実行により、このネットワーク機器が第２の態様又は第２の態様の任意の可能な実現形態における方法を実行し、又はこの実行により、このネットワーク機器が第４の態様に提供されるネットワーク機器を実現する。
【００２５】
第７の態様によれば、端末機器に上記の第１の態様及びその様々な実現形態におけるいずれかのデータを伝送する方法を実行させるプログラムが格納されたコンピュータ読み取り可能な記録媒体を提供する。
【００２６】
第８の態様によれば、ネットワーク機器に上記の第２の態様及びその様々な実現形態におけるいずれかのデータを伝送する方法を実行させるプログラムが格納されたコンピュータ読み取り可能な記録媒体を提供する。
【００２７】
第９の態様によれば、システムチップを提供し、このシステムチップは、入力インターフェース、出力インターフェース、プロセッサー及びメモリを備え、このプロセッサーは、このメモリに格納された命令を実行するために使用され、この命令が実行されると、このプロセッサーは、前述の第１の態様及びその様々な実現形態におけるいずれかの方法を実現することができる。
【００２８】
第１０の態様によれば、システムチップを提供し、このシステムチップは、入力インターフェース、出力インターフェース、プロセッサー及びメモリを備え、このプロセッサーは、このメモリに格納された命令を実行するために使用され、この命令が実行されると、このプロセッサーは、前述の第２の態様及びその様々な実現形態におけるいずれかの方法を実現することができる。
【００２９】
第１１の態様によれば、命令を含むコンピュータプログラム製品を提供し、前記コンピュータプログラム製品がコンピュータ上で実行されるときに、このコンピュータに上記の第１の態様又は第１の態様のいずれかの選択可能な実現形態における方法を実行させる。
【００３０】
第１２の態様によれば、命令を含むコンピュータプログラム製品を提供し、前記コンピュータプログラム製品がコンピュータ上で実行されるときに、このコンピュータに上記の第２の態様又は第２の態様のいずれかの選択可能な実現形態における方法を実行させる。
【図面の簡単な説明】
【００３１】
【図１】本発明の実施例に係る１つの応用シーンの概略アーキテクチャ図である。
【図２】本発明の実施例に係るデータを伝送する方法の概略フローチャートである。
【図３】本発明の実施例に係る異なる伝送時間周期内のデータ伝送の模式図である。
【図４】本発明の実施例に係るデータを伝送する方法の概略フローチャートである。
【図５】本発明の実施例に係るネットワーク機器の概略ブロック図である。
【図６】本発明の実施例に係る端末機器の概略ブロック図である。
【図７】本発明の実施例に係るネットワーク機器の概略構造図である。
【図８】本発明の実施例に係る端末機器の概略構造図である。
【図９】本発明の実施例に係るシステムチップの概略構造図である。
【発明を実施するための形態】
【００３２】
以下、図面を参照しながら、本発明の実施例における技術手段を説明する。
【００３３】
本発明の実施例に係る技術手段は、グローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、ロングタームエボリューション（Ｌｏｎｇ  Ｔｅｒｍ  Ｅｖｏｌｕｔｉｏｎ，ＬＴＥ）システム、ＬＴＥ周波数分割複信（Ｆｒｅｑｕｅｎｃｙ  Ｄｉｖｉｓｉｏｎ  Ｄｕｐｌｅｘ，ＦＤＤ）システム、ＬＴＥ時間分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  ＴｅｌｅＣｏｍｍｕｎｉｃａｔｉｏｎ  Ｓｙｓｔｅｍ，ＵＭＴＳ）及び未来の５Ｇ通信システム等のような様々な通信システムに適用されることを理解されたい。
【００３４】
本発明は、端末機器に関連して様々な実施例を説明している。端末機器は、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器、未来５Ｇネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等であってもよい。
【００３５】
本発明は、ネットワーク機器に関連して様々な実施例を説明している。ネットワーク機器は、端末機器と通信するための機器であってもよく、例えば、ＧＳＭシステム又はＣＤＭＡにおける基地局（Ｂａｓｅ  Ｔｒａｎｓｃｅｉｖｅｒ  Ｓｔａｔｉｏｎ，ＢＴＳ）であってもよいし、ＷＣＤＭＡシステムにおける基地局（ＮｏｄｅＢ，ＮＢ）であってもよいし、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよく、又はこのネットワーク機器は、中継局、アクセスポイント、車載機器、ウェアラブル機器及び未来５Ｇネットワークにおけるネットワーク側機器又は未来進化のＰＬＭＮネットワークにおけるネットワーク側機器等であってもよい。
【００３６】
図１は、本発明の実施例に係る１つの応用シーンの模式図である。図１の通信システムは、ネットワーク機器１０及び端末機器２０を含んでもよい。ネットワーク機器１０は、端末機器２０に対して通信サービスを提供し、コアネットワークにアクセスするために使用され、端末機器２０は、ネットワーク機器１０により送信された同期信号、ブロードキャスト信号等をサーチすることでネットワークにアクセスすることができ、これにより、ネットワークと通信する。図１に示す矢印は、端末機器２０とネットワーク機器１０との間のセルラーリンクを介して行われる上り／下り伝送を表してもよい。
【００３７】
本発明の実施例におけるネットワークは、公衆陸上移動体ネットワーク（Ｐｕｂｌｉｃ  Ｌａｎｄ  Ｍｏｂｉｌｅ  Ｎｅｔｗｏｒｋ，ＰＬＭＮ）、デバイスツーデバイス（Ｄｅｖｉｃｅ  ｔｏ  Ｄｅｖｉｃｅ，Ｄ２Ｄ）ネットワーク、マシンツーマシン／マン（Ｍａｃｈｉｎｅ  ｔｏ  Ｍａｃｈｉｎｅ／Ｍａｎ，Ｍ２Ｍ）ネットワーク又は他のネットワークを指してもよく、図１は、単なる例示的な簡略模式図であり、ネットワークに他の端末機器がさらに含まれてもよく、図１には図示されていない。
【００３８】
端末機器とネットワーク機器との間のデータ伝送によって占有される周波数領域リソースは、リソースブロックグループ（Ｒｅｓｏｕｒｃｅ  Ｂｌｏｃｋ  Ｇｒｏｕｐ，ＲＢＧ）の単位で割り当てられ、各ＲＢＧには１組の連続したリソースブロック（Ｒｅｓｏｕｒｃｅ  Ｂｌｏｃｋ，ＲＢ）が含まれ、ＲＢＧサイズはシステム帯域幅に関連し、例えば、表１に示すシステム帯域幅とＲＢＧサイズとの間の関係のように、異なるシステム帯域幅（Ｓｙｓｔｅｍ  Ｂａｎｄｗｉｄｔｈ）の中でのＲＢＧサイズ（ＲＢＧ  Ｓｉｚｅ）は異なる。表１のシステム帯域幅は、システム帯域幅に含まれるＲＢの数で表され、ＲＢＧサイズは、各ＲＢＧに含まれるＲＢの数で表される。
【００３９】
【表１】
2020528681.tif 000094
【００４０】
これから分かるように、システム帯域幅の変化に伴い、ＲＢＧサイズも変化し、異なるシステム帯域幅でのＲＢＧの数が異なり、したがって、ネットワーク機器には、端末機器に伝送帯域幅内の複数のＲＢＧの中でそのデータ伝送のために使用されるＲＢＧを指示するための１ビット（ｂｉｔ）乃至２８ｂｉｔまでの不等なビットマップが必要であり、したがって、ダウンリンク制御情報のサイズが随時変化し、端末機器によりこのＤＣＩをブラインド検出するための可能なペイロード（ｐａｙｌｏａｄ）の数も様々であり、端末機器のブラインド検出の複雑さが高くなり、遅延及び消費電力の両方が増加される。
【００４１】
本発明の実施例によれば、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器及びネットワーク機器はＲＢＧのサイズを柔軟且つ効率的に決定することができ、ブラインド検出の複雑さが低減される。
【００４２】
図２は、本発明の実施例に係るデータを伝送する方法の概略フローチャートである。図２に示す方法は、端末機器により実行されることができ、この端末機器は例えば、図１に示す端末機器２０であってもよい。図２に示すように、このデータを伝送する方法は、ステップ２１０，２２０，２３０，２４０を含む。
【００４３】
ステップ２１０において、端末機器が特定のパラメータＭ及び端末機器により使用される伝送帯域幅に基づき、この伝送帯域幅でのリソースブロックグループＲＢＧサイズを決定する。
【００４４】
ここで、Ｍは正の整数である。Ｍは１つの固定値、つまり、いかなる伝送条件でも同じであり、Ｍはまた、伝送条件によって変化してもよく、異なる伝送条件、例えば、異なる基本パラメータセットを使用して伝送を行うときに、異なるＭ値を使用する。本発明の実施例における特定のパラメータＭは、下記の２つの方式で得ることができる。
【００４５】
方式１
選択的に、端末機器が特定のパラメータＭ及び端末機器により使用される伝送帯域幅に基づき、前記伝送帯域幅でのＲＢＧサイズを決定する前に、この方法は、端末機器が使用される基本パラメータセットに基づき、この基本パラメータセットに対応するＭを決定するステップをさらに含み、ここで、異なる基本パラメータセットは異なるＭに対応する。
【００４６】
この実施例では、端末機器は、自分が使用する基本パラメータセット、例えば、サブキャリア間隔及び多数の基本パラメータセットと複数のＭ値との間の対応関係に基づき、使用される基本パラメータセットに対応するＭの値を決定することができる。１種類の基本パラメータセットに対して同じＭ値を使用し、例えば、表２に示すように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３である。
【００４７】
【表２】
2020528681.tif 000095
【００４８】
方式２
選択的に、端末機器が特定のパラメータＭ及び端末機器により使用される伝送帯域幅に基づき、前記伝送帯域幅でのＲＢＧサイズを決定する前に、この方法は、端末機器がネットワーク機器により送信されたＭを指示するための第１の指示情報を受信するステップをさらに含む。
【００４９】
ここで、選択的に、この第１の指示情報は、ダウンリンク制御情報（Ｄｏｗｎｌｏａｄ  Ｃｏｎｔｒｏｌ  Ｉｎｆｏｒｍａｔｉｏｎ，ＤＣＩ）、無線リソース制御（Ｒａｄｉｏ  Ｒｅｓｏｕｒｃｅ  Ｃｏｎｔｒｏｌ，ＲＲＣ）シグナリング、システム情報（Ｓｙｓｔｅｍ  Ｉｎｆｏｒｍａｔｉｏｎ，ＳＩ）又はメディアアクセス制御（Ｍｅｄｉａ  Ａｃｃｅｓｓ  Ｃｏｎｔｒｏｌ，ＭＡＣ）制御要素（Ｃｏｎｔｒｏｌ  Ｅｌｅｍｅｎｔ，ＣＥ）を含む。
【００５０】
端末機器はＭを決定した後、また、自分が現在の伝送時間周期内で使用可能な伝送帯域幅を知る必要がある。選択的に、ステップ２１０の前に、この方法は、端末機器がこの伝送帯域幅を決定するステップをさらに含む。
【００５１】
ここで、この伝送帯域幅はシステム帯域幅以下であってもよく、端末機器が異なる伝送時間周期内で使用する伝送帯域幅は異なってもよい。例えば、端末機器が最初の時間周期Ｔ１でデータ伝送を行うときに使用する伝送帯域幅は４０ｋＨｚであり、次の時間周期Ｔ２でデータ伝送を行うときに使用する伝送帯域幅は８０ｋＨｚであってもよい。したがって、端末機器は、異なる伝送時間周期内で、使用される伝送帯域幅によって、ＲＢＧサイズを動的に調整することができ、これにより、柔軟で効率的なリソース割り当てを実現する。
【００５２】
選択的に、端末機器がこの伝送帯域幅を決定するステップは、端末機器がネットワーク機器により送信されたこの伝送帯域幅を指示するための第２の指示情報を受信するステップを含む。
【００５３】
ここで、選択的に、この第２の指示情報は、ＤＣＩ、ＲＲＣシグナリング、システム情報ＳＩ又はＭＡＣ  ＣＥを含む。
【００５４】
ステップ２１０において、端末機器は、Ｍの値及び使用される伝送帯域幅を取得した後、Ｍ及びこの伝送帯域幅に基づき、この伝送帯域幅でのＲＢＧサイズを決定することができる。
【００５５】
選択的に、この伝送帯域幅はＷに等しく、このＲＢＧサイズはＳに等しく、Ｓは予め設定された複数のＲＢＧサイズの中でＷ／Ｍより大きい最小のＲＢＧサイズである。
【００５６】
具体的に、端末機器は、特定のパラメータＭ及び使用される伝送帯域幅Ｗに基づき、両者の比Ｗ／Ｍを計算し、候補の複数のＲＢＧサイズの中でＷ／Ｍより大きい最小のＲＢＧサイズをこの伝送帯域幅Ｗで使用されるＲＢＧサイズとして選択する。複数のＲＢＧサイズの中でＷ／Ｍより大きい最小のＲＢＧサイズがＳに等しい場合、この伝送帯域幅Ｗで使用されるＲＢＧサイズはＳに等しい。
【００５７】
例えば、Ｍ＝３５、Ｗ＝２２０、及び候補のＲＢＧサイズに｛１、２、４、８、１６｝があるものとすると、Ｓは｛１、２、４、８、１６｝の中で２２０／３５より大きい最小の値、つまり、Ｓ＝８である。Ｍ＝３５、Ｗ＝５５、及び候補のＲＢＧサイズに｛１、２、４、８、１６｝があるものとすると、Ｓは｛１、２、４、８、１６｝の中で５５／３５より大きい最小の値、つまり、Ｓ＝２である。
【００５８】
ここでの伝送帯域幅は、この伝送帯域幅内に含まれるＲＢの数で表され、Ｗ＝２２０はこの伝送帯域幅に２２０個のＲＢが含まれ、Ｗ＝５５はこの伝送帯域幅に５５個のＲＢが含まれることを表すことを理解されたい。同様に、ＲＢＧサイズも１つのＲＢＧ内に含まれるＲＢの数で表されることができ、Ｓ＝８は１つのＲＢＧに８つのＲＢが含まれ、Ｓ＝２は１つのＲＢＧに２つのＲＢが含まれることを表す。もちろん、伝送帯域幅及びＲＢＧサイズは、ヘルツ（Ｈｚ）又はメガヘルツ（ＭＨｚ）等のような他の方式でも表されることができる。
【００５９】
また、端末機器は、伝送帯域幅Ｗ及びＭに基づき、Ｗ／Ｍを自体で計算し、複数のＲＢＧサイズの中でＷ／Ｍより大きい最小のＲＢＧサイズをこの伝送帯域幅で使用されるＲＢＧサイズとして選択することができ、また、この伝送帯域幅Ｗ及び複数の伝送帯域幅と複数のＲＢＧサイズと間の対応関係に基づき、この伝送帯域幅Ｗに対応するこのＲＢＧサイズを決定することができることを理解されたい。この複数の伝送帯域幅と複数のＲＢＧサイズとの間のこの対応関係は、例えば、表、式、イメージ等の方式で提示されてもよく、且つ、この対応関係において、異なる伝送帯域幅に対応するＲＢＧサイズは同じ又は異なっていてもよい。例えば、端末機器は、複数の伝送帯域幅と複数のＲＢＧサイズとの間の対応関係を含む表を照会することによって、この伝送帯域幅Ｗに対応するＲＢＧサイズＳを決定することができる。本発明は、これについて限定をしない。
【００６０】
ステップ２２０において、端末機器がネットワーク機器により送信されたダウンリンク制御情報で運搬されるビットマップを受信する。
【００６１】
ここで、このビットマップにはＭ個のビットが含まれる。
【００６２】
このＭ個のビットには、少なくともＮ個のビットがこの伝送帯域幅内のＮ個のＲＢＧの中でデータ伝送に使用されるターゲットＲＢＧを指示するために使用されることができる。このＮ個のビットにおける値により、端末機器は、Ｎ個のＲＢＧの中でネットワーク機器との間でこのデータを伝送するためのＲＢＧを選択することができる。
【００６３】
特定のパラメータＭ及び伝送帯域幅に基づいてＲＢＧサイズを決定することで、この伝送帯域幅に含まれるＲＢＧの数Ｎを得ることができることに留意されたい。ネットワーク機器は、ビットマップのＭ個のビットのうちのＮ個のビットを使用して、端末機器にこの伝送帯域幅のＮ個のＲＢＧの中でどのＲＢＧがデータを受信又は送信するＲＢＧであるかを指示する。
【００６４】
このビットマップのビット数を固定することによって、いずれの伝送帯域幅でもＭ個のビットを含むビットマップを使用してＲＢＧ割り当てを行うことができるのは、候補の複数のＲＢＧサイズが比較的大きな範囲をカバーする場合、異なる伝送帯域幅でのＲＢＧの数に大きな違いがなく、いずれもＭに近いからである。これにより、ビットマップのＭ個のビットの使用率Ｎ／Ｍは比較的高い。しかしながら、従来の場合、予め設定された少数の幾つかのＲＢＧサイズしか存在せず、帯域幅が大きく違うにも関わらず、同じＲＢＧサイズを使用する場合は、異なる伝送帯域幅でのＲＢＧの数が大きく違く、最大のＲＢＧの数をビットマップに含まれるビットの数として固定的に使用すると、ビットマップのかなりの部分のビットが無駄になってしまう。
【００６５】
ステップ２３０において、端末機器がこのＭ個のビットのうちのＮ個のビットにおける値に基づき、この伝送帯域幅内のＮ個のＲＢＧの中でデータ伝送に使用されるターゲットＲＢＧを決定する。
【００６６】
ここで、このＭ個のビットのうちのＮ個のビットは、この伝送帯域幅に含まれるＮ個のＲＢＧの中でデータ伝送に使用されるターゲットＲＢＧを指示するために使用され、ここで、Ｎは前記伝送帯域幅及び前記ＲＢＧサイズにより決定され、ＮはＭ以下の正の整数である。
【００６７】
具体的に、端末機器は、ネットワーク機器により送信されたこのビットマップにより、この伝送帯域幅内の複数のＲＢＧの中でどのＲＢＧがデータ伝送に使用されるＲＢＧであるかを決定する。このビットマップに含まれるビットの数はＭに等しく、且つ、このＭ個のビットには、Ｎ個のビットがこのＮ個のＲＢＧの中でデータ伝送に使用されるターゲットＲＢＧを指示するために使用される。残りのＭ−Ｎ個のビットは、空白を残し、又は他の信号の伝達に使用できる。
【００６８】
2020528681.tif 000096
【００６９】
ステップ２４０において、端末機器がこのターゲットＲＢＧでネットワーク機器との間でこのデータを伝送する。
【００７０】
2020528681.tif 000097
【００７１】
【表３】
2020528681.tif 000098
【００７２】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧサイズを柔軟且つ効率的に決定することができ、ブラインド検出の複雑さが低減される。
【００７３】
端末機器は、特定のパラメータ及び伝送帯域幅に基づいてこの伝送帯域幅で使用されるＲＢＧサイズを柔軟に決定し、端末機器が異なる伝送帯域幅で使用するＲＢＧサイズがそれぞれ異なり、つまり、ＲＢＧサイズが伝送帯域幅によって変化するため、ビットマップをＭ個のビットに固定し、且つ、そのうちのＮ個のビットを使用してターゲットＲＢＧを指示しても、このＭ個のビットの使用率（Ｎ／Ｍ）は比較的高い。
【００７４】
以下、表４乃至表１２に関連して、本発明の実施例に係るデータを伝送する方法を例示的に説明する。ここで、伝送帯域幅Ｗは伝送帯域幅にＷ個のＲＢが含まれ、ＲＢＧサイズＳはＲＢＧにＳ個のＲＢが含まれることを表す。
【００７５】
2020528681.tif 000099
【００７６】
【表４】
2020528681.tif 000100
【００７７】
端末機器が異なる伝送時間周期内で使用する伝送帯域幅は異なっていてもよく、例えば、図３に示す異なる伝送時間周期内のデータ伝送の模式図のようである。端末機器の伝送時間周期Ｔ１内の伝送帯域幅が４０ＭＨｚ、つまり、Ｗ５＝２２０の場合、表４によると、Ｔ１内のＲＢＧサイズＳ５＝８、つまり、１つのＲＢＧに８つのＲＢＧが含まれ、この端末機器の伝送時間周期Ｔ２内の伝送帯域幅が８０ＭＨｚ、つまり、Ｗ９＝４４０ｂの場合、表４によると、Ｔ２内のＲＢＧサイズＳ９＝１６、つまり、１つのＲＢＧに１６個のＲＢＧが含まれる。端末機器は、異なる伝送時間周期内で、使用される伝送帯域幅によって、ＲＢＧサイズを動的に調整することができ、これにより、柔軟で効率的なリソース割り当てを実現する。
【００７８】
これから分かるように、ここで、端末機器は、特定のパラメータＭ及び伝送帯域幅に基づいてＲＢＧサイズを決定し、これにより、この伝送帯域幅に含まれるＲＢＧの数Ｎが得られる。ビットマップのＭ個のビットのうちＮ個のビットが、この伝送帯域幅のＮ個のＲＢＧの中でどのＲＢＧがデータを受信又は送信するＲＢＧであるかを指示するために使用される。いかなる伝送帯域幅でもＭ個のビットを含むビットマップを使用してＲＢＧ割り当てを行う。候補の複数のＲＢＧサイズが比較的大きな範囲をカバーする場合、異なる伝送帯域幅でのＲＢＧの数に大きな違いがなく、いずれもＭに近い。例えば、表４の最後の列では、Ｎの最小値が２１、最大値が３５である。これにより、ビットマップの中のＭ個のビットの使用率Ｎ／Ｍは比較的高い。しかしながら、従来の場合、予め設定された少数の幾つかのＲＢＧサイズしか存在せず、例えば、表１に示すように、伝送帯域幅が１０の場合、ＲＢＧサイズは１であり、指示のために１０個のビットが必要である。しかしながら、伝送帯域幅が１１０の場合、ＲＢＧサイズは４であり、指示のために２８個のビットが必要である。ビットマップのサイズを２８個のビットに固定すると、伝送帯域幅が１０の場合、このビットマップの２８個のビットのうち１０個のビットのみがＲＢＧの指示のために使用され、残りのビットが無駄になってしまい、ビットの使用率が非常に低くなり、したがって、ビットマップのビット数を固定できない。異なる伝送帯域幅に対して送信されるビットマップのビット数が絶えず変化するため、端末機器のブラインド検出の複雑さが高くなる。
【００７９】
2020528681.tif 000101
【００８０】
【表５】
2020528681.tif 000102
【００８１】
表４及び表５から分かるように、サブキャリア間隔が異なる場合、同じＭ値を指定して使用することができる（いずれも３５）。又は、表６に示すように、サブキャリア間隔が異なる場合、異なるＭ値を使用することができる。
【００８２】
2020528681.tif 000103
【００８３】
【表６】
2020528681.tif 000104
【００８４】
表４及び表６から分かるように、サブキャリア間隔が１５ｋＨｚの場合はＭ＝３５、サブキャリア間隔が３０ｋＨｚの場合はＭ＝１８であり、異なるサブキャリア間隔に対応するＭ値は異なり、サブキャリア間隔が１５ｋＨｚから３０ｋＨｚに変更された場合、Ｍ値を適切に減少でき、ビットマップのビットの数を減少することで、ダウンリンク制御シグナリングのオーバヘッドがさらに低減される。ビットマップのサイズが１８ｂｉｔに変更されたことが確認された後、端末機器は、３５ｂｉｔのビットマップに従ってダウンリンク制御シグナリングのブラインド検出を行わず、１８ｂｉｔのビットマップに従ってダウンリンク制御シグナリングのブラインド検出を行うことができ、同様に端末機器のブラインド検出の複雑さが増えない。
【００８５】
2020528681.tif 000105
【００８６】
【表７】
2020528681.tif 000106
【００８７】
表４、表５及び表７から分かるように、サブキャリア間隔が異なる場合、同じＭ値を指定して使用することができる（いずれも３５）。又は、表８に示すように、サブキャリア間隔が異なる場合、異なるＭ値を使用する。
【００８８】
2020528681.tif 000107
【００８９】
【表８】
2020528681.tif 000108
【００９０】
表４、表６及び表８から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９であり、異なるサブキャリア間隔に対応するＭ値は異なり、サブキャリア間隔が１５ｋＨｚ又は３０ｋＨｚから６０ｋＨｚに変更された場合、Ｍ値を適切に減少でき、ビットマップのビットの数を減少することで、ダウンリンク制御シグナリングのオーバヘッドがさらに低減される。ビットマップのサイズが９ｂｉｔに変更されたことが確認された後、端末機器は、３５ｂｉｔのビットマップに従ってダウンリンク制御シグナリングのブラインド検出を行わず、９ｂｉｔのビットマップに従ってダウンリンク制御シグナリングのブラインド検出を行うことができ、同様に端末機器のブラインド検出の複雑さが増えない。
【００９１】
2020528681.tif 000109
【００９２】
【表９】
2020528681.tif 000110
【００９３】
表４、表５、表７及び表９から分かるように、サブキャリア間隔が異なる場合、同じＭ値を指定して使用することができる（いずれも３５）。又は、表１０に示すように、サブキャリア間隔が異なる場合、異なるＭ値を使用する。
【００９４】
2020528681.tif 000111
【００９５】
【表１０】
2020528681.tif 000112
【００９６】
表４、表６、表８及び表１０から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５であり、異なるサブキャリア間隔に対応するＭ値は異なり、サブキャリア間隔が１５ｋＨｚ、３０ｋＨｚ又は６０ｋＨｚから１２０ｋＨｚに変更された場合、Ｍ値を適切に減少でき、ビットマップのビットの数を減少することで、ダウンリンク制御シグナリングのオーバヘッドがさらに低減される。ビットマップのサイズが５ｂｉｔに変更されたことが確認された後、端末機器は、３５ｂｉｔのビットマップに従ってダウンリンク制御シグナリングのブラインド検出を行わず、５ｂｉｔのビットマップに従ってダウンリンク制御シグナリングのブラインド検出を行うことができ、同様に端末機器のブラインド検出の複雑さが増えない。
【００９７】
2020528681.tif 000113
【００９８】
【表１１】
2020528681.tif 000114
【００９９】
表４、表５、表７、表９及び表１１から分かるように、サブキャリア間隔が異なる場合、同じＭ値を指定して使用することができる（いずれも３５）。又は、表１０に示すように、サブキャリア間隔が異なる場合、異なるＭ値を使用する。
【０１００】
2020528681.tif 000115
【０１０１】
【表１２】
2020528681.tif 000116
【０１０２】
表４、表６、表８、表１０及び表１２から分かるように、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３であり、異なるサブキャリア間隔に対応するＭ値は異なり、サブキャリア間隔が１５ｋＨｚ、３０ｋＨｚ、６０ｋＨｚ又は１２０ｋＨｚから２４０ｋＨｚに変更された場合、Ｍ値を適切に減少でき、ビットマップのビットの数を減少することで、ダウンリンク制御シグナリングのオーバヘッドがさらに低減される。ビットマップのサイズが３ｂｉｔに変更されたことが確認された後、端末機器は、３５ｂｉｔのビットマップに従ってダウンリンク制御シグナリングのブラインド検出を行わず、３ｂｉｔのビットマップに従ってダウンリンク制御シグナリングのブラインド検出を行うことができ、同様に端末機器のブラインド検出の複雑さが増えない。
【０１０３】
５Ｇ  ＮＲシステムにおける伝送帯域幅は大幅に向上され（例えば、最高１００ＭＨｚ）、ＲＢの数は５５０個に達することができ、したがって、周波数領域リソースをより柔軟に割り当てる必要があり、このため、より多様なＲＢＧサイズが必要である。しかしながら、ＬＴＥの設計方法によれば、リソース割り当てに使用されるビットマップのサイズがより頻繁に変化され、リソース割り当て情報を運搬するためのダウンリンク制御情報のサイズも頻繁に変化され、端末機器又はネットワーク機器によるＤＣＩブラインド検出時の可能なペイロード（ｐａｙｌｏａｄ）の数も可能性が多すぎるため、ブラインド検出の複雑さ、遅延及び消費電力が大幅に増える。
【０１０４】
本発明の実施例は、特定のパラメータに基づいて現在の伝送帯域幅で使用されるＲＢＧサイズを決定し、異なる伝送帯域幅に対して同じサイズのビットマップを使用してＲＢＧの指示を行うことを提案し、これにより、端末機器はＲＢＧのサイズを柔軟且つ効率的に決定することができ、ブラインド検出の複雑さが低減される。
【０１０５】
図４は、本発明の実施例に係るデータを伝送する方法の概略フローチャートである。図４に示す方法は、ネットワーク機器により実行されることができ、このネットワーク機器は、例えば、図１に示すネットワーク機器１０であってもよい。図４に示すように、このデータを伝送する方法は、ステップ４１０，４２０，４３０，４４０，４５０を含む。
【０１０６】
ステップ４１０において、ネットワーク機器が特定のパラメータＭ及び端末機器とのデータ伝送に使用される伝送帯域幅に基づき、この伝送帯域幅でのリソースブロックグループＲＢＧサイズを決定する。
【０１０７】
ここで、Ｍは正の整数である。Ｍは１つの固定値、つまり、いかなる伝送条件でも同じであってもよく、Ｍはまた、伝送条件によって変化してもよく、異なる伝送条件、例えば、異なる基本パラメータセットを使用して伝送を行うときに、異なるＭ値を使用する。
【０１０８】
選択的に、ネットワーク機器が特定のパラメータＭ及び端末機器とのデータ伝送に使用される伝送帯域幅に基づき、この伝送帯域幅でのＲＢＧサイズを決定する前に、この方法は、ネットワーク機器が使用される基本パラメータセットに基づき、この基本パラメータセットに対応するＭを決定するステップをさらに含み、ここで、異なる基本パラメータセットは異なるＭに対応する。
【０１０９】
この実施例では、ネットワーク機器は、使用される基本パラメータセット、例えば、サブキャリア間隔及び多数の基本パラメータセットと複数のＭ値との間の対応関係に基づき、使用される基本パラメータセットに対応するＭの値を決定することができる。１種類の基本パラメータセットに対して同じＭ値を使用し、例えば、サブキャリア間隔が１５ｋＨｚの場合はＭ＝３５、サブキャリア間隔が３０ｋＨｚの場合はＭ＝１８、サブキャリア間隔が６０ｋＨｚの場合はＭ＝９、サブキャリア間隔が１２０ｋＨｚの場合はＭ＝５、サブキャリア間隔が２４０ｋＨｚの場合はＭ＝３である。
【０１１０】
選択的に、この方法は、ネットワーク機器が端末機器にＭを指示するための第１の指示情報を送信するステップをさらに含む。
【０１１１】
ここで、選択的に、この第１の指示情報は、ダウンリンク制御情報、無線リソース制御ＲＲＣシグナリング、システム情報ＳＩ又はメディアアクセス制御要素ＭＡＣ  ＣＥを含む。
【０１１２】
ネットワーク機器はＭを決定した後、また、現在の伝送時間周期内でこの端末機器とデータ伝送を行うために使用される伝送帯域幅を知る必要がある。選択的に、ネットワーク機器が特定のパラメータＭ及び端末機器により使用される伝送帯域幅に基づき、この伝送帯域幅でのＲＢＧサイズを決定する前に、この方法は、ネットワーク機器がこの伝送帯域幅を決定するステップをさらに含む。
【０１１３】
ここで、この伝送帯域幅はシステム帯域幅以下であってもよく、ネットワーク機器が異なる伝送時間周期内でこの端末機器とデータ伝送を行うときに使用する伝送帯域幅は異なる。例えば、端末機器が最初の時間周期Ｔ１でデータ伝送を行うときに使用する伝送帯域幅は４０ｋＨｚであり、次の時間周期Ｔ２でデータ伝送を行うときに使用する伝送帯域幅は８０ｋＨｚであってもよい。したがって、端末機器は、異なる伝送時間周期内で、使用される伝送帯域幅によって、ＲＢＧサイズを動的に調整することができ、これにより、柔軟で効率的なリソース割り当てを実現する。
【０１１４】
選択的に、この方法は、ネットワーク機器が端末機器にこの伝送帯域幅を指示するための第２の指示情報を送信するステップをさらに含む。
【０１１５】
ここで、選択的に、この第２の指示情報は、ＤＣＩ、ＲＲＣシグナリング、システム情報ＳＩ又はＭＡＣ  ＣＥを含む。
【０１１６】
ステップ４１０において、ネットワーク機器がＭの値及び使用される伝送帯域幅を決定した後、Ｍ及びこの伝送帯域幅に基づき、この伝送帯域幅でのＲＢＧサイズを決定することができる。
【０１１７】
選択的に、この伝送帯域幅はＷに等しく、このＲＢＧサイズはＳに等しく、Ｓは予め設定された複数のＲＢＧサイズの中でＷ／Ｍより大きい最小のＲＢＧサイズである。
【０１１８】
具体的に、ネットワーク機器は、特定のパラメータＭ及び使用される伝送帯域幅Ｗに基づき、両者の比Ｗ／Ｍを計算し、候補の複数のＲＢＧサイズの中でＷ／Ｍより大きい最小のＲＢＧサイズをこの伝送帯域幅Ｗで使用されるＲＢＧサイズとして選択することができる。複数のＲＢＧサイズの中でＷ／Ｍより大きい最小のＲＢＧサイズがＳに等しい場合、この伝送帯域幅Ｗで使用されるＲＢＧサイズはＳに等しい。
【０１１９】
ネットワーク機器は、伝送帯域幅Ｗ及びＭに基づき、Ｗ／Ｍを自体で計算し、複数のＲＢＧサイズの中でＷ／Ｍより大きい最小のＲＢＧサイズをこの伝送帯域幅で使用されるＲＢＧサイズとして選択することができ、また、この伝送帯域幅Ｗ及び複数の伝送帯域幅と複数のＲＢＧサイズと間の対応関係に基づき、この伝送帯域幅Ｗに対応するこのＲＢＧサイズを決定することができることを理解されたい。この複数の伝送帯域幅と複数のＲＢＧサイズとの間のこの対応関係は、例えば、表、式、イメージ等の方式で提示されてもよく、且つ、この対応関係において、異なる伝送帯域幅に対応するＲＢＧサイズは同じ又は異なっていてもよい。例えば、端末機器は、複数の伝送帯域幅と複数のＲＢＧサイズとの間の対応関係を含む表を照会することによって、この伝送帯域幅Ｗに対応するＲＢＧサイズＳを決定することができる。本発明は、これについて限定をしない。
【０１２０】
ステップ４２０において、ネットワーク機器がこの伝送帯域幅内のＮ個のＲＢＧで、データ伝送に使用されるターゲットＲＢＧを決定する。
【０１２１】
ここで、Ｎは前記伝送帯域幅及び前記ＲＢＧサイズにより決定され、ＮはＭ以下の正の整数である。
【０１２２】
2020528681.tif 000117
【０１２３】
ステップ４３０において、ネットワーク機器がこのターゲットＲＢＧに基づいてビットマップを生成し、このビットマップにはＭ個のビットが含まれ、このＭ個のビットのうちのＮ個のビットにおける値は前記ターゲットＲＢＧを指示するために使用される。
【０１２４】
具体的に、ネットワーク機器は、Ｎ個のＲＢＧの中でデータ伝送に使用されるターゲットＲＢＧを決定した後、ビットマップの方式で端末機器にこのターゲットＲＢＧを指示することができる。ビットマップにはＭ個のビットが含まれ、このＭ個のビットのうちのＮ個のビットにおける値は、Ｎ個のＲＢＧの中でどのＲＢＧがこの端末機器との間でデータ伝送を行うために使用されるかを表すために使用されることができる。
【０１２５】
ステップ４４０において、ネットワーク機器が端末機器にダウンリンク制御情報で運搬されるビットマップを送信する。
【０１２６】
ここで、このＭ個のビットのうちのＮ個のビットは、この伝送帯域幅に含まれるＮ個のＲＢＧの中でデータ伝送に使用されるターゲットＲＢＧを指示するために使用され、Ｎはこの伝送帯域幅及びこのＲＢＧサイズにより決定される。
【０１２７】
具体的に、ネットワーク機器は、端末機器にこのビットマップを送信することによって、端末機器がこの伝送帯域幅での複数のＲＢＧの中でどのＲＢＧでデータ伝送を行うかを指示する。このビットマップに含まれるビットの数はＭに等しく、且つ、このＭ個のビットには、少なくともＮ個のビットがこの伝送帯域幅内のＮ個のＲＢＧの中で端末機器との間でデータ伝送を行うために使用されるターゲットＲＢＧを指示するために使用されることができる。残りのＭ−Ｎ個のビットは、空白を残し、又は他の信号の伝達に使用できる。
【０１２８】
Ｎは、ＲＢＧサイズがＳの場合、伝送帯域幅Ｗに含まれるＲＢＧの数として理解されることができる。したがって、ビットマップのＭ個のビットのうちのＮ個のビットは、このＮ個のＲＢＧの中でこの端末機器のデータ伝送のために使用されるターゲットＲＢＧを指示するために使用される。
【０１２９】
ステップ４５０において、ネットワーク機器がこのターゲットＲＢＧで端末機器との間でこのデータを伝送する。
【０１３０】
ネットワーク機器がＲＢＧサイズを決定し、このＲＢＧサイズ及びビットマップに基づいてデータ伝送を行うプロセスは、具体的に前述の図２に係る端末機器の説明を参照することができ、簡潔にするために、ここで詳細な説明を省略することを理解されたい。
【０１３１】
本発明の実施例によれば、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧサイズを柔軟且つ効率的に決定することができ、ブラインド検出の複雑さが低減される。
【０１３２】
ネットワーク機器は、特定のパラメータ及び伝送帯域幅に基づいてこの伝送帯域幅で使用されるＲＢＧサイズを柔軟に決定し、ネットワーク機器が異なる伝送帯域幅で使用するＲＢＧサイズがそれぞれ異なり、つまり、ＲＢＧサイズが伝送帯域幅によって変化するため、ビットマップをＭ個のビットに固定し、且つ、そのうちのＮ個のビットを使用してターゲットＲＢＧを指示しても、このＭ個のビットの使用率（Ｎ／Ｍ）は比較的高い。
【０１３３】
本発明の様々な実施例では、上記の各プロセスの番号の大きさは、実行する前後順序を意味するものではなく、各プロセスの実行順序は、その機能及び内部論理により決定されるべきであり、本発明の実施例に係る実施プロセスに対するいかなる限定を構成しないことを理解されたい。
【０１３４】
図５は、本発明の実施例に係る端末機器５００の概略ブロック図である。図５に示すように、この端末機器５００は、決定ユニット５１０及び伝送ユニット５２０を備える。ここで、
決定ユニット５１０は、特定のパラメータＭ及び前記端末機器により使用される伝送帯域幅に基づき、前記伝送帯域幅でのリソースブロックグループＲＢＧサイズを決定するために使用され、Ｍは正の整数である。
【０１３５】
伝送ユニット５２０は、ネットワーク機器により送信されたダウンリンク制御情報で運搬されるビットマップを受信するために使用され、前記ビットマップにはＭ個のビットが含まれる。
【０１３６】
決定ユニット５１０はまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数である。
【０１３７】
伝送ユニット５２０はまた、前記ターゲットＲＢＧで前記ネットワーク機器との間で前記データを伝送するために使用される。
【０１３８】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧのサイズを柔軟且つ効率的に決定することができ、ブラインド検出の複雑さが低減される。
【０１３９】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１４０】
2020528681.tif 000118
【０１４１】
選択的に、前記決定ユニット５１０はまた、使用される基本パラメータセットに基づき、前記基本パラメータセットに対応するＭを決定するために使用され、ここで、異なる基本パラメータセットは異なるＭに対応する。
【０１４２】
選択的に、前記伝送ユニット５２０はまた、前記ネットワーク機器により送信されたＭを指示するための第１の指示情報を受信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１４３】
選択的に、前記決定ユニット５１０はまた、前記伝送帯域幅を決定するために使用され、ここで、前記端末機器が異なる伝送時間周期内で使用する伝送帯域幅は異なる。
【０１４４】
選択的に、前記決定ユニット５１０は具体的に、前記伝送ユニット５２０を介して、前記ネットワーク機器により送信された前記伝送帯域幅を指示するための第２の指示情報を受信するために使用され、前記第２の指示情報は、ＤＣＩ、ＲＲＣシグナリング、システム情報ＳＩ又はＭＡＣ  ＣＥを含む。
【０１４５】
図６は、本発明の実施例に係るネットワーク機器６００の概略ブロック図である。図６に示すように、このネットワーク機器６００は、決定ユニット６１０、処理ユニット６２０及び伝送ユニット６３０を備える。ここで、
決定ユニット６１０は、特定のパラメータＭ及び端末機器とのデータ伝送に使用される伝送帯域幅に基づき、前記伝送帯域幅でのリソースブロックグループＲＢＧサイズを決定するために使用され、Ｍは正の整数である。
【０１４６】
決定ユニット６１０はまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、ＮはＭ以下の正の整数である。
【０１４７】
処理ユニット６２０は、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用される。
【０１４８】
伝送ユニット６３０は、前記端末機器にダウンリンク制御情報で運搬される前記ビットマップを送信するために使用される。
【０１４９】
伝送ユニット６３０はまた、前記ターゲットＲＢＧで前記端末機器との間で前記データを伝送するために使用される。
【０１５０】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧのサイズを柔軟且つ効率的に決定することができ、ブラインド検出の複雑さが低減される。
【０１５１】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１５２】
2020528681.tif 000119
【０１５３】
選択的に、前記決定ユニット６１０はまた、使用される基本パラメータセットに基づき、前記基本パラメータセットに対応するＭを決定するために使用され、ここで、異なる基本パラメータセットは異なるＭに対応する。
【０１５４】
選択的に、前記伝送ユニット６３０はまた、前記端末機器にＭを指示するための第１の指示情報を送信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１５５】
選択的に、前記決定ユニット６１０はまた、前記伝送帯域幅を決定するために使用され、ここで、前記ネットワーク機器が異なる伝送時間周期内で前記端末機器とデータ伝送を行うときに使用する伝送帯域幅は異なる。
【０１５６】
選択的に、前記伝送ユニット６３０はまた、前記端末機器に前記伝送帯域幅を指示するための第２の指示情報を送信するために使用され、前記第２の指示情報は、ＤＣＩ、ＲＲＣシグナリング、システム情報ＳＩ又はＭＡＣ  ＣＥを含む。
【０１５７】
図７は、本発明の実施例に係る端末機器７００の概略構造図である。図７に示すように、この端末機器は、プロセッサー７１０、送受信機７２０及びメモリ７３０を備え、ここで、このプロセッサー７１０、送受信機７２０及びメモリ７３０の間は、内部接続通路を介して互いに通信する。このメモリ７３０は、命令を格納するために使用され、このプロセッサー７１０は、このメモリ７３０に格納された命令を実行して、この送受信機７２０が信号を受信又は送信するように制御するために使用される。
【０１５８】
ここで、このプロセッサー７１０は、特定のパラメータＭ及び前記端末機器により使用される伝送帯域幅に基づき、前記伝送帯域幅でのリソースブロックグループＲＢＧサイズを決定するために使用され、Ｍは正の整数である。
【０１５９】
この送受信機７２０は、ネットワーク機器により送信されたダウンリンク制御情報で運搬されるビットマップを受信するために使用され、前記ビットマップにはＭ個のビットが含まれる。
【０１６０】
このプロセッサー７１０はまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数である。
【０１６１】
この送受信機７２０はまた、前記ターゲットＲＢＧで前記ネットワーク機器との間で前記データを伝送するために使用される。
【０１６２】
したがって、端末機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、端末機器はＲＢＧのサイズを柔軟且つ効率的に決定することができ、ブラインド検出の複雑さが低減される。
【０１６３】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１６４】
2020528681.tif 000120
【０１６５】
選択的に、前記プロセッサー７１０はまた、使用される基本パラメータセットに基づき、前記基本パラメータセットに対応するＭを決定するために使用され、ここで、異なる基本パラメータセットは異なるＭに対応する。
【０１６６】
選択的に、前記送受信機７２０はまた、前記ネットワーク機器により送信されたＭを指示するための第１の指示情報を受信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１６７】
選択的に、前記プロセッサー７１０はまた、前記伝送帯域幅を決定するために使用され、ここで、前記端末機器が異なる伝送時間周期内で使用する伝送帯域幅は異なる。
【０１６８】
選択的に、前記プロセッサー７１０は具体的に、前記送受信機７２０を介して、前記ネットワーク機器により送信された前記伝送帯域幅を指示するための第２の指示情報を受信するために使用され、前記第２の指示情報は、ＤＣＩ、ＲＲＣシグナリング、システム情報ＳＩ又はＭＡＣ  ＣＥを含む。
【０１６９】
本発明の実施例では、このプロセッサー７１０は中央監視ユニット（Ｃｅｎｔｒａｌ  Ｐｒｏｃｅｓｓｉｎｇ  Ｕｎｉｔ，ＣＰＵ）であってもよく、このプロセッサー７１０はまた、他の汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、個別ゲート又はトランジスタ論理デバイス、個別ハードウェアコンポーネント等であってもよいことを理解されたい。汎用プロセッサーはマイクロプロセッサーであってもよく、又は、このプロセッサーはまた、任意の従来のプロセッサー等であってもよい。
【０１７０】
このメモリ７３０は、読み取り専用メモリ及びランダムアクセスメモリを含んでもよく、プロセッサー７１０に命令及びデータを提供する。メモリ７３０の一部は、また不揮発性ランダムアクセスメモリを含んでもよい。
【０１７１】
実現時に、上記の方法の各ステップは、プロセッサー７１０内のハードウェアの集積論理回路又はソフトウェアの形の命令により完了されることができる。本発明の実施例に開示されたデータ伝送方法のステップに関連して、ハードウェアプロセッサーにより実行されて完了し、又はプロセッサー７１０内のハードウェア及びソフトウェアモジュールの組み合わせで実行して完了するように具現化されることができる。ソフトウェアモジュールは、ランダムメモリ、フラッシュメモリ、読み取り専用メモリ、プログラマブル読み取り専用メモリ又は電気的に消去可能なプログラマブルメモリ、レジスタ等の当技術分野でよく知られている記録媒体内に配置されることができる。この記録媒体はメモリ７３０に配置され、プロセッサー７１０は、メモリ７３０内の情報を読み取り、そのハードウェアと組み合わせて上記の方法のステップを完了する。重複を避けるために、ここで詳細な説明を省略する。
【０１７２】
本発明の実施例に係る端末機器７００は、上記の方法２００において方法２００を実行するための端末機器、及び本発明の実施例に係る端末機器５００に対応でき、且つ、この端末機器７００内の各ユニット又はモジュールのそれぞれは、上記の方法２００において端末機器により実行される各動作又は処理プロセスを実行するために使用され、簡潔にするために、ここで詳細な説明を省略する。
【０１７３】
図８は、本発明の実施例に係るネットワーク機器８００の概略構造図である。図８に示すように、このネットワーク機器は、プロセッサー８１０、送受信機８２０及びメモリ８３０を備え、ここで、このプロセッサー８１０、送受信機８２０及びメモリ８３０の間は、内部接続通路を介して互いに通信する。このメモリ８３０は、命令を格納するために使用され、このプロセッサー８１０は、このメモリ８３０に格納された命令を実行して、この送受信機８２０が信号を受信又は送信するように制御するために使用される。
【０１７４】
ここで、このプロセッサー８１０は、特定のパラメータＭ及び端末機器とのデータ伝送に使用される伝送帯域幅に基づき、前記伝送帯域幅でのリソースブロックグループＲＢＧサイズを決定するために使用され、Ｍは正の整数である。
【０１７５】
このプロセッサー８１０はまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、ＮはＭ以下の正の整数である。
【０１７６】
このプロセッサー８１０はまた、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用される。
【０１７７】
この送受信機８２０はまた、前記端末機器にダウンリンク制御情報で運搬される前記ビットマップを送信するために使用される。
【０１７８】
この送受信機８２０はまた、前記ターゲットＲＢＧで前記端末機器との間で前記データを伝送するために使用される。
【０１７９】
したがって、ネットワーク機器は、特定のパラメータに基づいて現在の伝送帯域幅で使用されるＲＢＧサイズを決定し、異なる伝送帯域幅を使用するときに同じサイズのビットマップを使用してＲＢＧの指示を行い、これにより、ネットワーク機器はＲＢＧのサイズを柔軟且つ効率的に決定することができ、ブラインド検出の複雑さが低減される。
【０１８０】
選択的に、前記伝送帯域幅はＷに等しく、前記ＲＢＧサイズはＳに等しく、Ｓは予め設定された複数のＲＢＧサイズの中でＷ／Ｍより大きい最小のＲＢＧサイズである。
【０１８１】
2020528681.tif 000121
【０１８２】
選択的に、前記プロセッサー８１０はまた、使用される基本パラメータセットに基づき、前記基本パラメータセットに対応するＭを決定するために使用され、ここで、異なる基本パラメータセットは異なるＭに対応する。
【０１８３】
選択的に、前記送受信機８２０はまた、前記端末機器にＭを指示するための第１の指示情報を送信するために使用され、前記第１の指示情報は、ダウンリンク制御情報ＤＣＩ、無線リソース制御ＲＲＣシグナリング、システム情報ＳＩ又はメディアアクセス制御要素ＭＡＣ  ＣＥを含む。
【０１８４】
選択的に、前記プロセッサー８１０はまた、前記伝送帯域幅を決定するために使用され、ここで、前記ネットワーク機器が異なる伝送時間周期内で前記端末機器とデータ伝送を行うときに使用する伝送帯域幅は異なる。
【０１８５】
選択的に、前記送受信機８２０はまた、前記端末機器に前記伝送帯域幅を指示するための第２の指示情報を送信するために使用され、前記第２の指示情報は、ＤＣＩ、ＲＲＣシグナリング、システム情報ＳＩ又はＭＡＣ  ＣＥを含む。
【０１８６】
本発明の実施例では、このプロセッサー８１０は中央監視ユニット（Ｃｅｎｔｒａｌ  Ｐｒｏｃｅｓｓｉｎｇ  Ｕｎｉｔ，ＣＰＵ）であってもよく、このプロセッサー７１０はまた、他の汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、個別ゲート又はトランジスタ論理デバイス、個別ハードウェアコンポーネント等であってもよいことを理解されたい。汎用プロセッサーはマイクロプロセッサーであってもよく、又は、このプロセッサーはまた、任意の従来のプロセッサー等であってもよい。
【０１８７】
このメモリ８３０は、読み取り専用メモリ及びランダムアクセスメモリを含んでもよく、プロセッサー８１０に命令及びデータを提供する。メモリ８３０の一部は、また不揮発性ランダムアクセスメモリを含んでもよい。実現時に、上記の方法の各ステップは、プロセッサー８１０内のハードウェアの集積論理回路又はソフトウェアの形の命令により完了されることができる。本発明の実施例に開示されたデータ伝送方法のステップに関連して、ハードウェアプロセッサーにより実行されて完了し、又はプロセッサー８１０内のハードウェア及びソフトウェアモジュールの組み合わせで実行して完了するように具現化されることができる。ソフトウェアモジュールは、ランダムメモリ、フラッシュメモリ、読み取り専用メモリ、プログラマブル読み取り専用メモリ又は電気的に消去可能なプログラマブルメモリ、レジスタ等の当技術分野でよく知られている記録媒体内に配置されることができる。この記録媒体はメモリ８３０に配置され、プロセッサー８１０は、メモリ８３０内の情報を読み取り、そのハードウェアと組み合わせて上記の方法のステップを完了する。重複を避けるために、ここで詳細な説明を省略する。
【０１８８】
本発明の実施例に係るネットワーク機器８００は、上記の方法４００において方法４００を実行するためのネットワーク機器、及び本発明の実施例に係るネットワーク機器６００に対応でき、且つ、このネットワーク機器８００内の各ユニット又はモジュールのそれぞれは、上記の方法４００においてネットワーク機器により実行される各動作又は処理プロセスを実行するために使用され、簡潔にするために、ここで詳細な説明を省略する。
【０１８９】
図９は、本発明の実施例に係るシステムチップの１つの概略構造図である。図９のシステムチップ９００は、入力インターフェース９０１、出力インターフェース９０２、少なくとも１つのプロセッサー９０３、メモリ９０４を備え、前記入力インターフェース９０１、出力インターフェース９０２、前記プロセッサー９０３及びメモリ９０４の間は、内部接続通路を介して互いに接続される。前記プロセッサー９０３は、前記メモリ９０４内のコードを実行するために使用される。
【０１９０】
選択的に、前記コードが実行されると、前記プロセッサー９０３は、方法の実施例において端末機器により実行される方法２００を実現することができる。簡潔にするために、ここで詳細な説明を省略する。
【０１９１】
選択的に、前記コードが実行されると、前記プロセッサー９０３は、方法の実施例においてネットワーク機器により実行される方法４００を実現することができる。簡潔にするために、ここで詳細な説明を省略する。
【０１９２】
当業者であれば、本明細書に開示された実施例に関連して説明された様々な例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると見なすべきではない。
【０１９３】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０１９４】
本発明に提供された幾つかの実施例において、開示されたシステム、装置及び方法は、他の方式で実現されてもよいことを理解されたい。例えば、上述のような装置の実施例は、単なる例にすぎず、例えば、このユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１９５】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１９６】
なお、本発明の様々な実施例に係る各機能ユニットは、１つの監視ユニットに集積されていてもよく、各ユニットが単独に物理的に存在していてもよく、２つ又は２つ以上のユニットが１つのユニットに集積されていてもよい。
【０１９７】
この機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の様々な実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【手続補正２】
【補正対象書類名】特許請求の範囲
【補正対象項目名】全文
【補正方法】変更
【補正の内容】
【特許請求の範囲】
【請求項１】
端末機器が伝送帯域幅及び前記伝送帯域幅とリソースブロックグループＲＢＧサイズとの間の対応関係に基づき、前記端末機器により使用される前記伝送帯域幅に対応するＲＢＧサイズを決定するステップと、
前記端末機器がネットワーク機器により送信されたダウンリンク制御情報で運搬されるビットマップを受信し、前記ビットマップにはＭ個のビットが含まれるステップと、
前記端末機器が前記Ｍ個のビットのうちのＮ個のビットにおける値に基づき、前記伝送帯域幅内のＮ個のＲＢＧの中でデータ伝送に使用されるターゲットＲＢＧを決定するステップと、
前記端末機器が前記ターゲットＲＢＧで前記ネットワーク機器との間で前記データを伝送するステップと、を含み、
ここで、Ｍは正の整数であり、Ｎは前記伝送帯域幅及び前記ＲＢＧサイズにより決定され、ＮはＭ以下の正の整数である
ことを特徴とするデータを伝送する方法。
【請求項２】
前記端末機器が伝送帯域幅及び前記伝送帯域幅とＲＢＧサイズとの間の対応関係に基づき、前記端末機器により使用される前記伝送帯域幅に対応するＲＢＧサイズを決定するステップは、
前記端末機器が複数の伝送帯域幅と複数のＲＢＧサイズとの間の対応関係を含むテーブルを検索することにより、前記端末機器により使用される伝送帯域幅に対応するＲＢＧサイズを決定するステップを含む
ことを特徴とする請求項１に記載の方法。
【請求項３】
前記Ｎは前記伝送帯域幅に含まれるＲＢＧの数である
ことを特徴とする請求項１又は２に記載の方法。
【請求項４】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項１〜３のいずれか１項に記載の方法。
【請求項５】
2020528681.tif 000122
【請求項６】
決定ユニット及び伝送ユニットを備え、ここで、
前記決定ユニットは、伝送帯域幅及び前記伝送帯域幅とリソースブロックグループＲＢＧサイズとの間の対応関係に基づき、端末機器により使用される前記伝送帯域幅に対応するＲＢＧサイズを決定するために使用され、
前記伝送ユニットは、ネットワーク機器により送信されたダウンリンク制御情報で運搬されるビットマップを受信するために使用され、前記ビットマップにはＭ個のビットが含まれ、ここで、Ｍは正の整数であり、
前記決定ユニットはまた、前記Ｍ個のビットのうちのＮ個のビットにおける値に基づき、前記伝送帯域幅内のＮ個のＲＢＧの中でデータ伝送に使用されるターゲットＲＢＧを決定するために使用され、ここで、Ｎは前記伝送帯域幅及び前記ＲＢＧサイズにより決定され、ＮはＭ以下の正の整数であり、
前記伝送ユニットはまた、前記ターゲットＲＢＧで前記ネットワーク機器との間で前記データを伝送するために使用される
ことを特徴とする端末機器。
【請求項７】
前記決定ユニットはまた、複数の伝送帯域幅と複数のＲＢＧサイズとの間の対応関係を含むテーブルを検索することにより、前記端末機器により使用される伝送帯域幅に対応するＲＢＧサイズを決定するために使用される
ことを特徴とする請求項６に記載の端末機器。
【請求項８】
前記Ｎは前記伝送帯域幅に含まれるＲＢＧの数である
ことを特徴とする請求項６又は７に記載の端末機器。
【請求項９】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項６〜８のいずれか１項に記載の端末機器。
【請求項１０】
2020528681.tif 000123
【請求項１１】
前記決定ユニットはプロセッサによって実装され、前記伝送ユニットは送受信機によって実装される
ことを特徴とする請求項６〜８のいずれか１項に記載の端末機器。
【請求項１２】
決定ユニット、処理ユニット及び伝送ユニットを備え、ここで、
前記決定ユニットは、伝送帯域幅及び前記伝送帯域幅とリソースブロックグループＲＢＧサイズとの間の対応関係に基づき、端末機器のデータ伝送に使用される前記伝送帯域幅に対応するＲＢＧサイズを決定するために使用され、
前記決定ユニットはまた、前記伝送帯域幅内のＮ個のＲＢＧの中で、データ伝送に使用されるターゲットＲＢＧを決定するために使用され、ここで、Ｎは前記伝送帯域幅及び前記ＲＢＧサイズにより決定され、
前記処理ユニットは、前記ターゲットＲＢＧに基づいてビットマップを生成するために使用され、前記ビットマップにはＭ個のビットが含まれ、前記Ｍ個のビットのうちのＮ個のビットにおける値は前記ターゲットＲＢＧを指示するために使用され、ここで、Ｍは正の整数であり、ＮはＭ以下の正の整数であり、
前記伝送ユニットは、前記端末機器にダウンリンク制御情報で運搬される前記ビットマップを送信するために使用され、
前記伝送ユニットはまた、前記ターゲットＲＢＧで前記端末機器との間で前記データを伝送するために使用される
ことを特徴とするネットワーク機器。
【請求項１３】
前記決定ユニットはまた、複数の伝送帯域幅と複数のＲＢＧサイズとの間の対応関係を含むテーブルを検索することにより、前記伝送帯域幅に対応するＲＢＧサイズを決定するために使用される
ことを特徴とする請求項１２に記載のネットワーク機器。
【請求項１４】
前記Ｎは前記伝送帯域幅に含まれるＲＢＧの数である
ことを特徴とする請求項１２又は１３に記載のネットワーク機器。
【請求項１５】
前記伝送帯域幅はＷに等しく、前記ＲＢＧサイズはＳに等しく、Ｓは予め設定された複数のＲＢＧサイズの中でＷ／Ｍより大きい最小のＲＢＧサイズである
ことを特徴とする請求項１２〜１４のいずれか１項に記載のネットワーク機器。
【請求項１６】
2020528681.tif 000124
【請求項１７】
前記決定ユニット及び前記処理ユニットはプロセッサによって実装され、前記伝送ユニットは送受信機によって実装される
ことを特徴とする請求項１２〜１４のいずれか１項に記載のネットワーク機器。
【手続補正３】
【補正対象書類名】図面
【補正対象項目名】全図
【補正方法】変更
【補正の内容】
【図１】
2020528681.tif 000125
【図２】
2020528681.tif 000126
【図３】
2020528681.tif 000127
【図４】
2020528681.tif 000128
【図５】
2020528681.tif 000129
【図６】
2020528681.tif 000130
【図７】
2020528681.tif 000131
【図８】
2020528681.tif 000132
【図９】
2020528681.tif 000133
【国際調査報告】
2020528681.tif 000134
2020528681.tif 000135
2020528681.tif 000136
2020528681.tif 000137